(57)【要約】      （修正有）【課題】静的画像にレンチキュラレンズや二次元レンズアレイを重ねたものに、その一部を観察するレンズや点光源を使った照明などを加え、前者と後者の相対的な位置を動かすことで観察する画像が変化する装置を提供する。【解決手段】静的画像には動画を構成する各コマの画像から、所定の間隔で取り出した線画像や画素を、所定の間隔で並べつつ、これをコマの順に所定のピッチずつずらして隙間なく並べて作成する。各コマ画像が順次切り替わる動画の表示により、表示できるコマ数には印刷解像度によって決まる上限がなくなり、静的画像とレンチキュラレンズの幅や面積を増すことで幾らでも増やすことができる。【選択図】図１
2016092623.tif 000002
【特許請求の範囲】
【請求項１】
シリンドリカルレンズがピッチpで面上に並んだレンチキュラレンズと、その焦点面に置かれた静的画像、該レンチキュラレンズに面して置かれた凸レンズないしシリンドリカルレンズからなり、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該レンチキュラレンズと静的画像を該凸レンズないしシリンドリカルレンズの光軸に垂直な方向に移動することで、該凸レンズないしシリンドリカルレンズを通して見える各コマの画像が順次切り替わることを特徴とする、静的画像によって動画を表示する装置。
【数１】
2016092623.tif 000022
【請求項２】
凸レンズがピッチpで面上の縦横に並んだレンズアレイと、その焦点面に置かれた静的画像、該レンズアレイに面して置かれた凸レンズからなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該レンズアレイと静的画像を該凸レンズの光軸に垂直な方向に移動することで、該凸レンズを通して見える各コマの画像が順次切り替わることを特徴とする、静的画像によって動画を表示する装置。
【請求項３】
シリンドリカルレンズがピッチpで面上に並んだレンチキュラレンズと、その焦点面に置かれた静的画像、該レンチキュラレンズに面して置かれた凹レンズないしシリンドリカル凹レンズからなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと静的画像を該凹レンズないしシリンドリカル凹レンズの光軸に垂直な方向に移動することで、該凹レンズないしシリンドリカル凹レンズを通して見える各コマの画像が順次切り替わることを特徴とする、静的画像によって動画を表示する装置。
【請求項４】
凸レンズがピッチpで面上の縦横に並んだレンズアレイと、その焦点面に置かれた静的画像、該レンズアレイに面して置かれた凹レンズからなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと静的画像を該凹レンズの光軸に垂直な方向に移動することで、該凹レンズを通して見える各コマの画像が順次切り替わることを特徴とする、静的画像によって動画を表示する装置。
【請求項５】
シリンドリカルレンズがピッチpで面上に並んだレンチキュラレンズとその焦点面に置かれた光拡散スクリーン、該スクリーンと平行に置かれた透過性の静的画像と、該レンチキュラレンズから所定の距離をおいて該スクリーンの反対側に置かれた点光源ないし線光源とからなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと該静的画像の位置関係を固定しつつ、これらと該光源の相対的な位置を、該レンチキュラレンズのレンズ列の並ぶ方向に平行に移動することで、該静的画像を通して見える輝線群が作る画像が順次切り替わることを特徴とする、静的画像によって動画を表示する装置。
【請求項６】
シリンドリカルレンズがピッチpで面上に並んだレンチキュラレンズとその焦点面に置かれた光拡散スクリーン、該スクリーンと平行に置かれた透過性の静的画像と、該レンチキュラレンズから所定の距離をおいて該スクリーンの反対側に置かれた点光源ないし線光源の列とからなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該光源の一つを点灯しつつその位置を移動させることで、該静的画像を通して見える輝線群が作る画像が順次切り替わることを特徴とする、静的画像によって動画を表示する装置。
【請求項７】
凸レンズがピッチpで面上の縦横に並んだレンズアレイとその焦点面に置かれた光拡散スクリーン、該スクリーンと平行に置かれた透過性の静的画像と、該レンズアレイから所定の距離をおいて該スクリーンの反対側に置かれた点光源とからなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと該静的画像の位置関係を固定しつつ、これらと該光源の相対的な位置を、該レンズアレイと平行に移動することで、該静的画像を通して見える輝点群が作る画像が順次切り替わることを特徴とする、静的画像によって動画を表示する装置。
【請求項８】
凸レンズがピッチpで面上の縦横に並んだレンズアレイとその焦点面に置かれた光拡散スクリーン、該スクリーンと平行に置かれた透過性の静的画像と、該レンズアレイから所定の距離をおいて該スクリーンの反対側に置かれた点光源の列とからなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該光源の一つを点灯しつつその位置を移動させることで、該静的画像を通して見える輝点群が作る画像が順次切り替わることを特徴とする、静的画像によって動画を表示する装置。
【請求項９】
シリンドリカルレンズがピッチpで面上に並んだレンチキュラレンズとその焦点面に置かれた光拡散スクリーン、該スクリーンと平行に置かれた透過性の静的画像と、該レンチキュラレンズの該スクリーンとは反対の側に置かれた凸レンズないしシリンドリカルレンズと、さらに該凸レンズないしシリンドリカルレンズからその焦点距離より長い所定の距離をおいて置かれた点光源ないし線光源とからなり、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該レンチキュラレンズと該静的画像の位置関係を固定しつつ、これらと該凸レンズないしシリンドリカルレンズおよび該光源の相対的な位置を、該レンチキュラレンズのレンズ列の並ぶ方向に平行に移動することで、該静的画像を通して見える輝線群が作る画像が順次切り替わることを特徴とする、静的画像によって動画を表示する装置。
【請求項１０】
凸レンズがピッチpで面上の縦横に並んだレンズアレイとその焦点面に置かれた光拡散スクリーン、該スクリーンと平行に置かれた透過性の静的画像と、該レンズアレイの該スクリーンとは反対の側に置かれた凸レンズと、さらに該凸レンズからその焦点距離より長い所定の距離をおいて置かれた点光源とからなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該レンズアレイと該静的画像の位置関係を固定しつつ、これらと該凸レンズおよび該光源の相対的な位置を、該レンズアレイと平行に移動することで、該静的画像を通して見える輝点群が作る画像が順次切り替わることを特徴とする、静的画像によって動画を表示する装置。
【請求項１１】
シリンドリカルレンズがピッチpで面上に並んだレンチキュラレンズとその焦点面に置かれた透過性の静的画像、該静的画像と平行に置かれた光拡散スクリーンと、該レンチキュラレンズから所定の距離をおいて該スクリーンの反対側に置かれた点光源からなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと該静的画像の位置関係を固定しつつ、これらと該光源の相対的な位置を、該レンチキュラレンズのレンズ列の並ぶ方向に平行に移動することで、該スクリーンに投影される画像が順次切り替わることを特徴とする、静的画像によって動画を表示する装置。
【請求項１２】
シリンドリカルレンズがピッチpで面上に並んだレンチキュラレンズとその焦点面に置かれた透過性の静的画像、該静的画像と平行に置かれた光拡散スクリーンと、該レンチキュラレンズから所定の距離をおいて該スクリーンの反対側に置かれた点光源の列からなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該光源の一つを点灯しつつその位置を移動させることで、該スクリーンに投影される画像が順次切り替わることを特徴とする、静的画像によって動画を表示する装置。
【請求項１３】
凸レンズがピッチpで面上の縦横に並んだレンズアレイとその焦点面に置かれた透過性の静的画像、該静的画像と平行に置かれた光拡散スクリーンと、該レンズアレイから所定の距離をおいて該スクリーンの反対側に置かれた点光源からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと該静的画像の位置関係を固定しつつ、これらと該光源の相対的な位置を、該レンズアレイと平行に移動することで、該スクリーンに投影される画像が順次切り替わることを特徴とする、静的画像によって動画を表示する装置。
【請求項１４】
凸レンズがピッチpで面上の縦横に並んだレンズアレイとその焦点面に置かれた透過性の静的画像、該静的画像と平行に置かれた光拡散スクリーンと、該レンズアレイから所定の距離をおいて該スクリーンの反対側に置かれた点光源の列からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該光源の一つを点灯しつつその位置を移動させることで、該スクリーンに投影される画像が順次切り替わることを特徴とする、静的画像によって動画を表示する装置。
【請求項１５】
シリンドリカルレンズがピッチpで面上に並んだレンチキュラレンズと、該レンチキュラレンズのレンズ面に密着ないし近接して置かれた透過性の静的画像と、該レンチキュラレンズから所定の距離をおいて置かれた点光源ないし線光源とを有し、該光源が点光源の場合には点光源と該レンチキュラレンズの間に、さらに該シリンドリカルレンズに平行な方向に光を拡散する手段とを備えた装置であって、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと該静的画像の位置関係を固定しつつ、これらと該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置。
【請求項１６】
シリンドリカルレンズがピッチpで面上に並んだレンチキュラレンズと、該レンチキュラレンズのレンズ面に密着ないし近接して置かれた透過性の静的画像と、該レンチキュラレンズから所定の距離をおいて置かれた点光源ないし線光源の列とを有し、該光源が点光源の場合には点光源と該レンチキュラレンズの間に、さらに該シリンドリカルレンズに平行な方向に光を拡散する手段とを備えた装置であって、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該光源の一つを点灯しつつその位置を移動させることで、該レンチキュラレンズを通して見える画像が順次切り替わることを特徴とする、静的画像によって動画を表示する装置。
【請求項１７】
シリンドリカル凹レンズがピッチpで面上に並んだレンチキュラレンズと、該レンチキュラレンズのレンズ面に密着ないし近接して置かれた透過性の静的画像と、該レンチキュラレンズから所定の距離をおいて置かれた点光源ないし線光源とを有し、該光源が点光源の場合には点光源と該レンチキュラレンズの間に、さらに該シリンドリカル凹レンズに平行な方向に光を拡散する手段とを備えた装置であって、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該レンチキュラレンズと該静的画像の位置関係を固定しつつ、これらと該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置。
【請求項１８】
シリンドリカル凹レンズがピッチpで面上に並んだレンチキュラレンズと、該レンチキュラレンズのレンズ面に密着ないし近接して置かれた透過性の静的画像と、該レンチキュラレンズから所定の距離をおいて置かれた点光源ないし線光源の列とを有し、該光源が点光源の場合には点光源と該レンチキュラレンズの間に、さらに該シリンドリカル凹レンズに平行な方向に光を拡散する手段とを備えた装置であって、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該光源の一つを点灯しつつその位置を移動させることで、該レンチキュラレンズを通して見える画像が順次切り替わることを特徴とする、静的画像によって動画を表示する装置。
【請求項１９】
凸レンズがピッチpで面上の縦横に並んだレンズアレイと、該レンズアレイのレンズ面に密着ないし近接して置かれた透過性の静的画像と、該レンズアレイから所定の距離をおいて置かれた点光源からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと該静的画像の位置関係を固定しつつ、これらと該光源の相対的な位置を、該レンズアレイと平行に移動することで、該レンズアレイを通して見える画像が順次切り替わることを特徴とする、静的画像によって動画を表示する装置。
【請求項２０】
凸レンズがピッチpで面上の縦横に並んだレンズアレイと、該レンズアレイのレンズ面に密着ないし近接して置かれた透過性の静的画像と、該レンズアレイから所定の距離をおいて置かれた点光源の列からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該光源の一つを点灯しつつその位置を移動させることで、該レンズアレイを通して見える画像が順次切り替わることを特徴とする、静的画像によって動画を表示する装置。
【請求項２１】
凹レンズがピッチpで面上の縦横に並んだレンズアレイと、該レンズアレイのレンズ面に密着ないし近接して置かれた透過性の静的画像と、該レンズアレイから所定の距離をおいて置かれた点光源からなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該レンズアレイと該静的画像の位置関係を固定しつつ、これらと該光源の相対的な位置を、該レンズアレイと平行に移動することで、該レンズアレイを通して見える画像が順次切り替わることを特徴とする、静的画像によって動画を表示する装置。
【請求項２２】
凹レンズがピッチpで面上の縦横に並んだレンズアレイと、該レンズアレイのレンズ面に密着ないし近接して置かれた透過性の静的画像と、該レンズアレイから所定の距離をおいて置かれた点光源の列からなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該光源の一つを点灯しつつその位置を移動させることで、該レンズアレイを通して見える画像が順次切り替わることを特徴とする、静的画像によって動画を表示する装置。
【請求項２３】
シリンドリカルレンズがピッチpで面上に並んだレンチキュラレンズと、該レンチキュラレンズのレンズ面に密着ないし近接して置かれた透過性の静的画像と、これらに面して置かれた凸レンズないしシリンドリカルレンズと、該凸レンズないしシリンドリカルレンズからその焦点距離より長い所定の距離をおいて置かれた点光源ないし線光源とを有し、該光源が点光源の場合には点光源と該レンチキュラレンズの間に、さらに該レンチキュラレンズを構成するシリンドリカルレンズに平行な方向に光を拡散する手段とを備えた装置であって、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該レンチキュラレンズと該静的画像の位置関係を固定しつつ、これらと該凸レンズないしシリンドリカルレンズおよび該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置。
【請求項２４】
シリンドリカル凹レンズがピッチpで面上に並んだレンチキュラレンズと、該レンチキュラレンズのレンズ面に密着ないし近接して置かれた透過性の静的画像と、これらに面して置かれた凸レンズないしシリンドリカルレンズと、該凸レンズないしシリンドリカルレンズからその焦点距離より長い所定の距離をおいて置かれた点光源ないし線光源とを有し、該光源が点光源の場合には点光源と該レンチキュラレンズの間に、さらに該レンチキュラレンズを構成するシリンドリカル凹レンズに平行な方向に光を拡散する手段とを備えた装置であって、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと該静的画像の位置関係を固定しつつ、これらと該凸レンズないしシリンドリカルレンズおよび該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置。
【請求項２５】
凸レンズがピッチpで面上の縦横に並んだレンズアレイと、該レンズアレイのレンズ面に密着ないし近接して置かれた透過性の静的画像と、これらに面して置かれた凸レンズと、該凸レンズからその焦点距離より長い所定の距離をおいて置かれた点光源からなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該レンズアレイと該静的画像の位置関係を固定しつつ、これらと該凸レンズおよび該光源の相対的な位置を、該レンズアレイと平行に移動することで、該レンズアレイを通して見える画像が順次切り替わることを特徴とする、静的画像によって動画を表示する装置。
【請求項２６】
凹レンズがピッチpで面上の縦横に並んだレンズアレイと、該レンズアレイのレンズ面に密着ないし近接して置かれた透過性の静的画像と、これらに面して置かれた凸レンズと、該凸レンズからその焦点距離より長い所定の距離をおいて置かれた点光源からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと該静的画像の位置関係を固定しつつ、これらと該凸レンズおよび該光源の相対的な位置を、該レンズアレイと平行に移動することで、該レンズアレイを通して見える画像が順次切り替わることを特徴とする、静的画像によって動画を表示する装置。
【請求項２７】
シリンドリカルレンズがピッチpで面上に並んだレンチキュラレンズとその焦点面に置かれた光拡散スクリーン、該スクリーンと所定の距離をおいて平行に置かれた透過性の静的画像と、該静的画像から所定の距離をおいて置かれた点光源からなり、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該レンチキュラレンズと該静的画像の位置関係を固定しつつ、これらと該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置。
【請求項２８】
シリンドリカルレンズがピッチpで面上に並んだレンチキュラレンズとその焦点面に置かれた光拡散スクリーン、該スクリーンと所定の距離をおいて平行に置かれた透過性の静的画像と、該静的画像から所定の距離をおいて置かれた点光源の列からなり、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該光源の一つを点灯しつつその位置を移動させることで、該レンチキュラレンズを通して見える画像が順次切り替わることを特徴とする、静的画像によって動画を表示する装置。
【請求項２９】
凸レンズがピッチpで面上に並んだレンズアレイとその焦点面に置かれた光拡散スクリーン、該スクリーンと所定の距離をおいて平行に置かれた透過性の静的画像と、該静的画像から所定の距離をおいて置かれた点光源からなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該レンズアレイと該静的画像の位置関係を固定しつつ、これらと該光源の相対的な位置を、該レンズアレイと平行に移動することで、該レンズアレイを通して見える画像が順次切り替わることを特徴とする、静的画像によって動画を表示する装置。
【請求項３０】
凸レンズがピッチpで面上に並んだレンズアレイとその焦点面に置かれた光拡散スクリーン、該スクリーンと所定の距離をおいて平行に置かれた透過性の静的画像と、該静的画像から所定の距離をおいて置かれた点光源の列からなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該光源の一つを点灯しつつその位置を移動させることで、該レンズアレイを通して見える画像が順次切り替わることを特徴とする、静的画像によって動画を表示する装置。
【請求項３１】
シリンドリカルレンズがピッチpで面上に並んだレンチキュラレンズとその焦点面に置かれた光拡散スクリーン、該スクリーンと所定の距離をおいて平行に置かれた透過性の静的画像と、これらに面して置かれた凸レンズないしシリンドリカルレンズと、該凸レンズないしシリンドリカルレンズからその焦点距離より長い所定の距離をおいて置かれた点光源からなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと該静的画像の位置関係を固定しつつ、これらと該凸レンズないしシリンドリカルレンズおよび該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置。
【請求項３２】
凸レンズがピッチpで面上に並んだレンズアレイとその焦点面に置かれた光拡散スクリーン、該スクリーンと所定の距離をおいて平行に置かれた透過性の静的画像と、これらに面して置かれた凸レンズと、該凸レンズからその焦点距離より長い所定の距離をおいて置かれた点光源からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと該静的画像の位置関係を固定しつつ、これらと該凸レンズおよび該光源の相対的な位置を、該レンズアレイと平行に移動することで、該レンズアレイを通して見える画像が順次切り替わることを特徴とする、静的画像によって動画を表示する装置。
【発明の詳細な説明】
【技術分野】
【０００１】
本発明は静的画像を使って動画的な表示をする装置において、表示するコマ数の制約を無くし、加えて奥行きや3D効果を有することも可能にする技術に関する。
【背景技術】
【０００２】
面上にシリンドリカルレンズが並んだレンチキュラレンズと静的画像により、観察する視点の位置によって異なる画像が見える装置ができることは良く知られており、特許文献１や特許文献２にあるように、視差による立体像の表示や、動画的な効果を持つ表示として従来より利用されている。また同様の構成において、レンチキュラレンズと静的画像の相対的な位置関係をずらすことにより、より積極的に動画的な表示を行うことも実施されている。特に動画的な表現を目的としたものはチェンジングあるいはスキャニメーションなどと呼ばれているが、ここでは以下チェンジングと称するものとする。
【０００３】
レンチキュラレンズを使った表示装置には、視点位置によって変わる視差像を左右の眼に見せることにより、奥行きや厚みを感じる3D効果があることも知られているが、これを加えた3D効果を有するチェンジングもまた実現されている。
【０００４】
チェンジングで表示することのできる動画は、レンチキュラレンズの１ピッチ分だけ視点位置や相対位置がずれると最初のコマに戻り、以下同じコマを繰り返し表示する。従って動画的に表示することができるコマ数には限界があり、その上限はレンチキュラレンズのピッチを印刷解像度で除したものになる。実際には数コマから十数コマ程度のものが一般的で、数十コマを表示するには高解像度の印刷機や収差の少ないレンチキュラレンズが必要になるなど、技術的な難易度が高くなる。このように従来のチェンジングでコマ数の多い動画を表示しようとするのは現実的ではなかった。
【先行技術文献】
【特許文献】
【０００５】
【特許文献１】特開平10-258593号公報
【特許文献２】特開平11-218845号公報
【非特許文献】
【０００６】
【非特許文献１】"モアレ干渉の応用によって視域の境界を取り除いた周期立体像"，画像電子学会誌, Vol.39, No.6, pp.1074-1087(2010)
【非特許文献２】"モアレ干渉を応用した周期立体像の研究"，映像情報メディア学会技術報告, Vol.34, No.24, pp.15-18(2010)
【発明の概要】
【発明が解決しようとする課題】
【０００７】
本発明の課題は、静的画像によって動画的な表示を行う装置において、表示するコマ数に印刷解像度によって決まる制限が無く、多数のコマ（元画像）からなる動画を簡単な装置構成によって表示できるようにすることであり、加えて従来のチェンジングに付加することができた3D効果も、必要に応じて同様に付加することを可能とすることである。なおここで言う静的画像とは、印刷や感光剤を使う写真的な方法で形成されたものに加え、電子ペーパーなど表示内容を書き換える機能は持つものの、速度が遅く動画の表示には向かない手段によって形成された画像を含んでいる。
【課題を解決するための手段】
【０００８】
本発明の請求項１は、シリンドリカルレンズがピッチpで面上に並んだレンチキュラレンズと、その焦点面に置かれた静的画像、該レンチキュラレンズに面して置かれた凸レンズないしシリンドリカルレンズからなり、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該レンチキュラレンズと静的画像を該凸レンズないしシリンドリカルレンズの光軸に垂直な方向に移動することで、該凸レンズないしシリンドリカルレンズを通して見える各コマの画像が順次切り替わることを特徴とする、静的画像によって動画を表示する装置である。
【０００９】
【数１】
2016092623.tif 000003
【００１０】
本発明の請求項２は、凸レンズがピッチpで面上の縦横に並んだレンズアレイと、その焦点面に置かれた静的画像、該レンズアレイに面して置かれた凸レンズからなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該レンズアレイと静的画像を該凸レンズの光軸に垂直な方向に移動することで、該凸レンズを通して見える各コマの画像が順次切り替わることを特徴とする、静的画像によって動画を表示する装置である。
【００１１】
本発明の請求項３は、シリンドリカルレンズがピッチpで面上に並んだレンチキュラレンズと、その焦点面に置かれた静的画像、該レンチキュラレンズに面して置かれた凹レンズないしシリンドリカル凹レンズからなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと静的画像を該凹レンズないしシリンドリカル凹レンズの光軸に垂直な方向に移動することで、該凹レンズないしシリンドリカル凹レンズを通して見える各コマの画像が順次切り替わることを特徴とする、静的画像によって動画を表示する装置である。
【００１２】
本発明の請求項４は、凸レンズがピッチpで面上の縦横に並んだレンズアレイと、その焦点面に置かれた静的画像、該レンズアレイに面して置かれた凹レンズからなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと静的画像を該凹レンズの光軸に垂直な方向に移動することで、該凹レンズを通して見える各コマの画像が順次切り替わることを特徴とする、静的画像によって動画を表示する装置である。
【００１３】
本発明の請求項５は、シリンドリカルレンズがピッチpで面上に並んだレンチキュラレンズとその焦点面に置かれた光拡散スクリーン、該スクリーンと平行に置かれた透過性の静的画像と、該レンチキュラレンズから所定の距離をおいて該スクリーンの反対側に置かれた点光源ないし線光源とからなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと該静的画像の位置関係を固定しつつ、これらと該光源の相対的な位置を、該レンチキュラレンズのレンズ列の並ぶ方向に平行に移動することで、該静的画像を通して見える輝線群が作る画像が順次切り替わることを特徴とする、静的画像によって動画を表示する装置である。
【００１４】
本発明の請求項６は、シリンドリカルレンズがピッチpで面上に並んだレンチキュラレンズとその焦点面に置かれた光拡散スクリーン、該スクリーンと平行に置かれた透過性の静的画像と、該レンチキュラレンズから所定の距離をおいて該スクリーンの反対側に置かれた点光源ないし線光源の列とからなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該光源の一つを点灯しつつその位置を移動させることで、該静的画像を通して見える輝線群が作る画像が順次切り替わることを特徴とする、静的画像によって動画を表示する装置である。
【００１５】
本発明の請求項７は、凸レンズがピッチpで面上の縦横に並んだレンズアレイとその焦点面に置かれた光拡散スクリーン、該スクリーンと平行に置かれた透過性の静的画像と、該レンズアレイから所定の距離をおいて該スクリーンの反対側に置かれた点光源とからなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと該静的画像の位置関係を固定しつつ、これらと該光源の相対的な位置を、該レンズアレイと平行に移動することで、該静的画像を通して見える輝点群が作る画像が順次切り替わることを特徴とする、静的画像によって動画を表示する装置である。
【００１６】
本発明の請求項８は、凸レンズがピッチpで面上の縦横に並んだレンズアレイとその焦点面に置かれた光拡散スクリーン、該スクリーンと平行に置かれた透過性の静的画像と、該レンズアレイから所定の距離をおいて該スクリーンの反対側に置かれた点光源の列とからなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該光源の一つを点灯しつつその位置を移動させることで、該静的画像を通して見える輝点群が作る画像が順次切り替わることを特徴とする、静的画像によって動画を表示する装置である。
【００１７】
本発明の請求項９は、シリンドリカルレンズがピッチpで面上に並んだレンチキュラレンズとその焦点面に置かれた光拡散スクリーン、該スクリーンと平行に置かれた透過性の静的画像と、該レンチキュラレンズの該スクリーンとは反対の側に置かれた凸レンズないしシリンドリカルレンズと、さらに該凸レンズないしシリンドリカルレンズからその焦点距離より長い所定の距離をおいて置かれた点光源ないし線光源とからなり、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該レンチキュラレンズと該静的画像の位置関係を固定しつつ、これらと該凸レンズないしシリンドリカルレンズおよび該光源の相対的な位置を、該レンチキュラレンズのレンズ列の並ぶ方向に平行に移動することで、該静的画像を通して見える輝線群が作る画像が順次切り替わることを特徴とする、静的画像によって動画を表示する装置である。
【００１８】
本発明の請求項１０は、凸レンズがピッチpで面上の縦横に並んだレンズアレイとその焦点面に置かれた光拡散スクリーン、該スクリーンと平行に置かれた透過性の静的画像と、該レンズアレイの該スクリーンとは反対の側にから置かれた凸レンズと、さらに該凸レンズからその焦点距離より長い所定の距離をおいて置かれた点光源とからなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該レンズアレイと該静的画像の位置関係を固定しつつ、これらと該凸レンズおよび該光源の相対的な位置を、該レンズアレイと平行に移動することで、該静的画像を通して見える輝点群が作る画像が順次切り替わることを特徴とする、静的画像によって動画を表示する装置である。
【００１９】
本発明の請求項１１は、シリンドリカルレンズがピッチpで面上に並んだレンチキュラレンズとその焦点面に置かれた透過性の静的画像、該静的画像と平行に置かれた光拡散スクリーンと、該レンチキュラレンズから所定の距離をおいて該スクリーンの反対側に置かれた点光源からなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと該静的画像の位置関係を固定しつつ、これらと該光源の相対的な位置を、該レンチキュラレンズのレンズ列の並ぶ方向に平行に移動することで、該スクリーンに投影される画像が順次切り替わることを特徴とする、静的画像によって動画を表示する装置である。
【００２０】
本発明の請求項１２は、シリンドリカルレンズがピッチpで面上に並んだレンチキュラレンズとその焦点面に置かれた透過性の静的画像、該静的画像と平行に置かれた光拡散スクリーンと、該レンチキュラレンズから所定の距離をおいて該スクリーンの反対側に置かれた点光源の列からなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該光源の一つを点灯しつつその位置を移動させることで、該スクリーンに投影される画像が順次切り替わることを特徴とする、静的画像によって動画を表示する装置である。
【００２１】
本発明の請求項１３は、凸レンズがピッチpで面上の縦横に並んだレンズアレイとその焦点面に置かれた透過性の静的画像、該静的画像と平行に置かれた光拡散スクリーンと、該レンズアレイから所定の距離をおいて該スクリーンの反対側に置かれた点光源からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと該静的画像の位置関係を固定しつつ、これらと該光源の相対的な位置を、該レンズアレイと平行に移動することで、該スクリーンに投影される画像が順次切り替わることを特徴とする、静的画像によって動画を表示する装置である。
【００２２】
本発明の請求項１４は、凸レンズがピッチpで面上の縦横に並んだレンズアレイとその焦点面に置かれた透過性の静的画像、該静的画像と平行に置かれた光拡散スクリーンと、該レンズアレイから所定の距離をおいて該スクリーンの反対側に置かれた点光源の列からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該光源の一つを点灯しつつその位置を移動させることで、該スクリーンに投影される画像が順次切り替わることを特徴とする、静的画像によって動画を表示する装置である。
【００２３】
本発明の請求項１５は、シリンドリカルレンズがピッチpで面上に並んだレンチキュラレンズと、該レンチキュラレンズのレンズ面に密着ないし近接して置かれた透過性の静的画像と、該レンチキュラレンズから所定の距離をおいて置かれた点光源ないし線光源とを有し、該光源が点光源の場合には点光源と該レンチキュラレンズの間に、さらに該シリンドリカルレンズに平行な方向に光を拡散する手段とを備えた装置であって、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと該静的画像の位置関係を固定しつつ、これらと該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置である。
【００２４】
本発明の請求項１６は、シリンドリカルレンズがピッチpで面上に並んだレンチキュラレンズと、該レンチキュラレンズのレンズ面に密着ないし近接して置かれた透過性の静的画像と、該レンチキュラレンズから所定の距離をおいて置かれた点光源ないし線光源の列とを有し、該光源が点光源の場合には点光源と該レンチキュラレンズの間に、さらに該シリンドリカルレンズに平行な方向に光を拡散する手段とを備えた装置であって、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該光源の一つを点灯しつつその位置を移動させることで、該レンチキュラレンズを通して見える画像が順次切り替わることを特徴とする、静的画像によって動画を表示する装置である。
【００２５】
本発明の請求項１７は、シリンドリカル凹レンズがピッチpで面上に並んだレンチキュラレンズと、該レンチキュラレンズのレンズ面に密着ないし近接して置かれた透過性の静的画像と、該レンチキュラレンズから所定の距離をおいて置かれた点光源ないし線光源とを有し、該光源が点光源の場合には点光源と該レンチキュラレンズの間に、さらに該シリンドリカル凹レンズに平行な方向に光を拡散する手段とを備えた装置であって、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該レンチキュラレンズと該静的画像の位置関係を固定しつつ、これらと該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置である。
【００２６】
本発明の請求項１８は、シリンドリカル凹レンズがピッチpで面上に並んだレンチキュラレンズと、該レンチキュラレンズのレンズ面に密着ないし近接して置かれた透過性の静的画像と、該レンチキュラレンズから所定の距離をおいて置かれた点光源ないし線光源の列とを有し、該光源が点光源の場合には点光源と該レンチキュラレンズの間に、さらに該シリンドリカル凹レンズに平行な方向に光を拡散する手段とを備えた装置であって、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該光源の一つを点灯しつつその位置を移動させることで、該レンチキュラレンズを通して見える画像が順次切り替わることを特徴とする、静的画像によって動画を表示する装置である。
【００２７】
本発明の請求項１９は、凸レンズがピッチpで面上の縦横に並んだレンズアレイと、該レンズアレイのレンズ面に密着ないし近接して置かれた透過性の静的画像と、該レンズアレイから所定の距離をおいて置かれた点光源からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと該静的画像の位置関係を固定しつつ、これらと該光源の相対的な位置を、該レンズアレイと平行に移動することで、該レンズアレイを通して見える画像が順次切り替わることを特徴とする、静的画像によって動画を表示する装置である。
【００２８】
本発明の請求項２０は、凸レンズがピッチpで面上の縦横に並んだレンズアレイと、該レンズアレイのレンズ面に密着ないし近接して置かれた透過性の静的画像と、該レンズアレイから所定の距離をおいて置かれた点光源の列からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該光源の一つを点灯しつつその位置を移動させることで、該レンズアレイを通して見える画像が順次切り替わることを特徴とする、静的画像によって動画を表示する装置である。
【００２９】
本発明の請求項２１は、凹レンズがピッチpで面上の縦横に並んだレンズアレイと、該レンズアレイのレンズ面に密着ないし近接して置かれた透過性の静的画像と、該レンズアレイから所定の距離をおいて置かれた点光源からなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該レンズアレイと該静的画像の位置関係を固定しつつ、これらと該光源の相対的な位置を、該レンズアレイと平行に移動することで、該レンズアレイを通して見える画像が順次切り替わることを特徴とする、静的画像によって動画を表示する装置である。
【００３０】
本発明の請求項２２は、凹レンズがピッチpで面上の縦横に並んだレンズアレイと、該レンズアレイのレンズ面に密着ないし近接して置かれた透過性の静的画像と、該レンズアレイから所定の距離をおいて置かれた点光源の列からなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該光源の一つを点灯しつつその位置を移動させることで、該レンズアレイを通して見える画像が順次切り替わることを特徴とする、静的画像によって動画を表示する装置である。
【００３１】
本発明の請求項２３は、シリンドリカルレンズがピッチpで面上に並んだレンチキュラレンズと、該レンチキュラレンズのレンズ面に密着ないし近接して置かれた透過性の静的画像と、これらに面して置かれた凸レンズないしシリンドリカルレンズと、該凸レンズないしシリンドリカルレンズからその焦点距離より長い所定の距離をおいて置かれた点光源ないし線光源とを有し、該光源が点光源の場合には点光源と該レンチキュラレンズの間に、さらに該レンチキュラレンズを構成するシリンドリカルレンズに平行な方向に光を拡散する手段とを備えた装置であって、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該レンチキュラレンズと該静的画像の位置関係を固定しつつ、これらと該凸レンズないしシリンドリカルレンズおよび該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置である。
【００３２】
本発明の請求項２４は、シリンドリカル凹レンズがピッチpで面上に並んだレンチキュラレンズと、該レンチキュラレンズのレンズ面に密着ないし近接して置かれた透過性の静的画像と、これらに面して置かれた凸レンズないしシリンドリカルレンズと、該凸レンズないしシリンドリカルレンズからその焦点距離より長い所定の距離をおいて置かれた点光源ないし線光源とを有し、該光源が点光源の場合には点光源と該レンチキュラレンズの間に、さらに該レンチキュラレンズを構成するシリンドリカル凹レンズに平行な方向に光を拡散する手段とを備えた装置であって、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと該静的画像の位置関係を固定しつつ、これらと該凸レンズないしシリンドリカルレンズおよび該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置である。
【００３３】
本発明の請求項２５は、凸レンズがピッチpで面上の縦横に並んだレンズアレイと、該レンズアレイのレンズ面に密着ないし近接して置かれた透過性の静的画像と、これらに面して置かれた凸レンズと、該凸レンズからその焦点距離より長い所定の距離をおいて置かれた点光源からなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該レンズアレイと該静的画像の位置関係を固定しつつ、これらと該凸レンズおよび該光源の相対的な位置を、該レンズアレイと平行に移動することで、該レンズアレイを通して見える画像が順次切り替わることを特徴とする、静的画像によって動画を表示する装置である。
【００３４】
本発明の請求項２６は、凹レンズがピッチpで面上の縦横に並んだレンズアレイと、該レンズアレイのレンズ面に密着ないし近接して置かれた透過性の静的画像と、これらに面して置かれた凸レンズと、該凸レンズからその焦点距離より長い所定の距離をおいて置かれた点光源からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと該静的画像の位置関係を固定しつつ、これらと該凸レンズおよび該光源の相対的な位置を、該レンズアレイと平行に移動することで、該レンズアレイを通して見える画像が順次切り替わることを特徴とする、静的画像によって動画を表示する装置である。
【００３５】
本発明の請求項２７は、シリンドリカルレンズがピッチpで面上に並んだレンチキュラレンズとその焦点面に置かれた光拡散スクリーン、該スクリーンと所定の距離をおいて平行に置かれた透過性の静的画像と、該静的画像から所定の距離をおいて置かれた点光源からなり、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該レンチキュラレンズと該静的画像の位置関係を固定しつつ、これらと該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置である。
【００３６】
本発明の請求項２８は、シリンドリカルレンズがピッチpで面上に並んだレンチキュラレンズとその焦点面に置かれた光拡散スクリーン、該スクリーンと所定の距離をおいて平行に置かれた透過性の静的画像と、該静的画像から所定の距離をおいて置かれた点光源の列からなり、該静的画像は動画を構成する各コマの画像から、所定の間隔で取り出した線画像ないし短冊状の画像を、pより小さい間隔wで数１の幅Wの間に並べつつ、これをコマの順に所定のピッチずつずらして隙間なく並べて作成され、該光源の一つを点灯しつつその位置を移動させることで、該レンチキュラレンズを通して見える画像が順次切り替わることを特徴とする、静的画像によって動画を表示する装置である。
【００３７】
本発明の請求項２９は凸レンズがピッチpで面上の縦横に並んだレンズアレイとその焦点面に置かれた光拡散スクリーン、該スクリーンと所定の距離をおいて平行に置かれた透過性の静的画像と、該静的画像から所定の距離をおいて置かれた点光源からなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該レンズアレイと該静的画像の位置関係を固定しつつ、これらと該光源の相対的な位置を、該レンズアレイと平行に移動することで、該レンズアレイを通して見える画像が順次切り替わることを特徴とする、静的画像によって動画を表示する装置である。
【００３８】
本発明の請求項３０は、凸レンズがピッチpで面上の縦横に並んだレンズアレイとその焦点面に置かれた光拡散スクリーン、該スクリーンと所定の距離をおいて平行に置かれた透過性の静的画像と、該静的画像から所定の距離をおいて置かれた点光源の列からなり、該静的画像は2次元的な変化を持つ動画を構成する各コマの画像から、所定の間隔で取り出した画素ないし矩形状の部分画像を、縦横にpより小さい間隔wで数１の幅Wの間に並べつつ、これをコマの順に所定のピッチずつずらして隙間なく並べて作成され、該光源の一つを点灯しつつその位置を移動させることで、該レンズアレイを通して見える画像が順次切り替わることを特徴とする、静的画像によって動画を表示する装置である。
【００３９】
本発明の請求項３１は、シリンドリカルレンズがピッチpで面上に並んだレンチキュラレンズとその焦点面に置かれた光拡散スクリーン、該スクリーンと所定の距離をおいて平行に置かれた透過性の静的画像と、これらに面して置かれた凸レンズないしシリンドリカルレンズと、該凸レンズないしシリンドリカルレンズからその焦点距離より長い所定の距離をおいて置かれた点光源からなり、該静的画像は動画を構成する各コマの画像から、所定の間隔で取り出した線画像ないし短冊状の画像を、pより大きい間隔wで数１の幅Wの間に並べつつ、これをコマの順に所定のピッチずつずらして隙間なく並べて作成され、該レンチキュラレンズと該静的画像の位置関係を固定しつつ、これらと該凸レンズないしシリンドリカルレンズおよび該光源の相対的な位置を、該レンチキュラレンズのレンズ列の並ぶ方向に平行に移動することで、該レンチキュラレンズを通して見える画像が順次切り替わることを特徴とする、静的画像によって動画を表示する装置である。
【００４０】
本発明の請求項３２は、凸レンズがピッチpで面上の縦横に並んだレンズアレイとその焦点面に置かれた光拡散スクリーン、該スクリーンと所定の距離をおいて平行に置かれた透過性の静的画像と、これらに面して置かれた凸レンズと、該凸レンズからその焦点距離より長い所定の距離をおいて置かれた点光源からなり、該静的画像は2次元的な変化を持つ動画を構成する各コマの画像から、所定の間隔で取り出した画素ないし矩形状の部分画像を、縦横にpより大きい間隔wで数１の幅Wの間に並べつつ、これをコマの順に所定のピッチずつずらして隙間なく並べて作成され、該レンズアレイと該静的画像の位置関係を固定しつつ、これらと該凸レンズおよび該光源の相対的な位置を、該レンズアレイと平行に移動することで、該レンズアレイを通して見える画像が順次切り替わることを特徴とする、静的画像によって動画を表示する装置である。
【発明の効果】
【００４１】
本発明によれば、静的画像によって動画を表示する技術において、表示するコマ数に画像の解像度に依存する制限が無くなり、従来の方法では困難であった多数のコマからなる動画を表示することが可能になった。さらに本発明の請求項１〜１０，１５〜３２によれば奥行き感のある画像の表示ができ、両眼視差を意識したコマ作りをすれば凹凸を感じることができる立体的な動画を表示することが可能である。また本発明の請求項２，４，７，８，１０，１３，１４，１９〜２２，２５，２６，２９，３０，３２によれば、二次元的な変化を持つ動画を表示することが可能になる。
【図面の簡単な説明】
【００４２】
【図１】請求項１および２を説明する平面図である。
【図２】請求項１および２で見える画像を説明する平面図である。
【図３】請求項１および３の実施例を表す斜視図である。
【図４】請求項２および４の実施例を表す斜視図である。
【図５】請求項１，９，１７，１８，２３，２７，２８に使う画像の作成法を説明する図である。
【図６】請求項１，９，１７，１８，２３，２７，２８に使う画像の作成法を説明する図である。
【図７】請求項１および３による3D表示を説明する図である。
【図８】請求項１および３によって3D表示をする際の、各コマの画像を表す図である。
【図９】請求項２，１０，２１，２２，２５，２９，３０に使う画像の作成法を説明する図である。
【図１０】請求項３および４を説明する平面図である。
【図１１】請求項３および４で見える画像を説明する平面図である。
【図１２】請求項３，５，６，１１，１２，１５，１６，２４，３１に使う画像の作成法を説明する図である。
【図１３】請求項３，５，６，１１，１２，１５，１６，２４，３１に使う画像の作成法を説明する図である。
【図１４】請求項５〜８の原理を説明する平面図である。
【図１５】請求項５〜８で見える画像を説明する平面図である。
【図１６】請求項９および１０の原理を説明する平面図である。
【図１７】請求項９および１０で見える画像を説明する平面図である。
【図１８】請求項５〜１０の実施例を表す斜視図である。
【図１９】請求項１１〜１４の原理を説明する平面図である。
【図２０】請求項１１および１２の実施例を表す斜視図である。
【図２１】請求項１５，１６，１９，２０の原理を説明する平面図である。
【図２２】請求項１５，１６，１９，２０で見える画像を説明する平面図である。
【図２３】請求項１７，１８，２１，２２の原理を説明する平面図である。
【図２４】請求項１７，１８，２１，２２で見える画像を説明する平面図である。
【図２５】請求項２３，２５の原理を説明する平面図である。
【図２６】請求項２４，２６の原理を説明する平面図である。
【図２７】請求項１５，１６および２３の実施例を表す斜視図である。
【図２８】請求項１５，１６および２３の他の実施例を表す斜視図である。
【図２９】請求項２７〜３０の原理を説明する平面図である。
【図３０】請求項２７〜３０で見える画像を説明する平面図である。
【図３１】請求項３１，３２の原理を説明する平面図である。
【図３２】請求項３１，３２で見える画像を説明する平面図である。
【図３３】請求項２７，２８，および３１の実施例を表す斜視図である。
【発明を実施するための最良の形態】
【００４３】
まず請求項１および２によって動画を表示する原理を説明する。図１はレンチキュラレンズないしレンズアレイ１とその焦点面に置かれた静的画像５、凸レンズないしシリンドリカルレンズ２によって構成される装置の平面図（断面図）である。シリンドリカルレンズが並んだレンチキュラレンズと凸レンズが並んだレンズアレイは、レンズの並ぶ方向について同等の機能を有し、また凸レンズとシリンドリカルレンズもレンズ作用を有する断面内では同等の機能を有するため同じ図を用いるが、まず１をレンチキュラレンズとして請求項１を説明する。
【００４４】
静的画像５に同じ図形６をレンズピッチpで並んで描くと、その実像がレンズ２からその焦点距離fだけ離れた位置に形成されるが、これは図の上方より見た時、この位置に幅p相当の画像が拡大して観測されることを示している。この時観察される画像が静的画像５のどの部分によって形成されるかを示したものが図２である。離れた位置にある視点８から視線９を辿ると、単レンズ２で曲げられてpより小さい幅wで並んだ点の列に至ることから、この位置に表示したい画像の対応する部分を並べれば、視点８からその画像が見えることになる。レンズ２の形状などによって若干ずれることはあるが、wはレンズ２の焦点距離f、視点までの距離L、レンチキュラレンズを構成するシリンドリカルレンズの曲率中心から焦点面までの距離d（一般的にd＝厚さ／屈折率）、レンズ２とレンチキュラレンズの距離D、とpから数２の式で求められる。
【００４５】
【数２】
2016092623.tif 000004
【００４６】
図３に請求項１および３の実施例を斜視図によって示した。レンチキュラレンズ１ａの前に置かれたレンズが凸レンズ２であれば請求項１の実施例、凹レンズ２０であれば請求項３の実施例となるが、ここでは凸レンズ２として請求項１を説明する。この時視点８は実像７より後方に位置しなければならないため、焦点距離fが視点距離Lより十分小さくなるように凸レンズ２は選択される．請求項１では図２で示された間隔wの点が間隔wで並んだ線の列に相当するため、表示したい画像から所定の幅で線画像ないし短冊状の画像を抽出し、間隔wで静的画像５ａに並べれば良い。同様にして動画を構成する各コマの画像を、レンズ列の並ぶ方向にずらしつつ静的画像５ａに隙間なく並べれば、異なるコマから集められた線画ないし短冊状の画像によってできた、一コマ分の画像６ａが並ぶことになるので、レンチキュラレンズ１ａの各シリンドリカルレンズがこれらの真上に位置するように重ね、共に１１の方向に動かすことで像７の位置に見える像が切り替わり、動画が観察されることになる。
【００４７】
静的画像５ａの作成法の一例を図５によって説明する。図中１０１〜１０７は動画を構成する各コマの画像である。全てに描かれている矢印は画像枠内の位置を表すためのもので、実際にはコマの進行に伴って少しずつ変化する画像が描かれる。この例はw＝6p／7の場合を示しているが、各コマから７本の線画が抽出されて間隔wで５ａ上に並べられ、各コマの線画はpずつずらして並べることで継続的に多数のコマを並べることができる。一コマの占める幅は7w＝6pであり数１のWに一致している。ここに並べることのできるコマ数には幅pに入る線画像の本数(7)による制限はなく、５ａの長さを伸ばすことでいくらでも増やすことができる。また線画の位置を明確にするため、図では各線画が離れて描かれているが、実際には抽出された線画は隙間なく並べられているので、コマとコマの間が途切れることはなく、動画らしい連続的な切り替わりが実現される。もちろん部分的にコマが存在しない端の部分、すなわち最初と最後の部分はこの限りではなく、請求項に書かれている「隙間なく並べる」はこの部分を例外として除いた表現である。
【００４８】
この実施例では図示を容易にするために各コマを７本の線画で表示する設定としたが、これでは実用的な画質にならないので、実際にはピッチpの小さなレンチキュラレンズを使い、20〜30本ないしはそれ以上の線画で表示することが望ましい。Mを整数としてp−w＝p／Mとし、各コマからM本の線画を抽出して間隔wで幅(M-1)pに並べ、各コマの線画をpずつずらして並べる方法は最も簡単な合成法で、非特許文献１において使用されている画像合成法において、pとwを入れ替えたものに等しい。非特許文献１の手法は、M，Nを整数としてp−w＝p／Mないしp−w＝Np／Mである場合に適用できる。非特許文献２にはこの条件を満たさない場合においても使用可能な画像合成法が記載されているが、その手法もpとwを入れ替えることで、本発明の画像合成に応用することができる。いずれの手法においても各コマから抽出した線画を間隔wで数１の幅Wの間に並べる点は共通である。数１のWは波長pと波長wの周期模様が作るモアレの波長に他ならない。
【００４９】
滑らかな動きの動画を表示するためには、より多数のコマ画像を使用して合成画像５ａを作るのが好ましい。そのためには印刷解像度の限界に相当する線画に分解して並べればよい。逆にスライドショーのようにコマ送りが認識できる動画を表示するのであれば、同じ幅に入れるコマ数は少なくなるため、並べる画像の幅は印刷解像度より広くなる。このような場合には線画ではなく、短冊状の画像を縮小して並べる方がより好ましい。この様子を図６に示すが、コマ画像１０１を構成する短冊状の画像を、縮小・左右反転して５ａに並べることで、より高精細な静的画像５ａを作成することができ、画質的に有利になる。
【００５０】
図３の実施例において、凸レンズ２はレンチキュラレンズを構成する各シリンドリカルレンズと平行なシリンドリカルレンズ（単レンズ）に置き換えることができる。シリンドリカルレンズの働きは水平面内で凸レンズと同等であるが、垂直方向にはレンズ作用を持たない。このため垂直方向にもレンズ作用を持ち、縦に画像を若干拡大する凸レンズを使う場合に比べて、あらかじめ画像５ａを縦に拡大して印刷し、観測される画像の縦横比が狂わないようにしておく必要がある。縦倍率の補正量はシリンドリカルレンズとレンチキュラレンズ１ａ間の距離や各レンズの仕様、観察距離などによって容易に計算することができる。このようにシリンドリカルレンズでは縦倍率の補正が必要な点で面倒であるが、画像枠を矩形に取る場合には収差の点で凸レンズに比べて有利である。凸レンズでは矩形枠の対角線方向に屈折角が大きくなり、四隅で収差が大きくなることを避け難い。
【００５１】
図５の作画例のように左から右に進行するコマを並べる時には、図３に示したように１１の方向に１ａ，５ａを移動すれば、凸レンズ２を通して正しい順番にコマが切り替わって見える。一方図５の左右を反転させれば容易に分かるように、右から左にコマを並べることも全く同様にでき、その場合は矢印１１とは反対の方向に動かせば良い。またこのように水平方向にコマを並べるときには、結果として左右の眼に捉えられる画像に視差を生じるが、これを利用して立体感を感じる3D効果を持たせることが可能である。
【００５２】
図３で凸レンズ２を使う請求項３の実施例を下方より見た平面図を図７左に示した。左目の視点８Ｌから見た像７は静的画像５ａの部分１５Ｌ、右目の視点８Ｒから見た像７は静的画像５ａの部分１５Ｒになり、これは図５で合成する別のコマ画像に相当する。これらに立体的な視差を与えて3D効果を待たせるには、５ａのより左に位置するコマに、より右の視点から見た画像を置き、より右に位置するコマに、より左の視点から見た画像を置けば良い。図８の１６にその一例を示したが、三次元的なオブジェクトを垂直軸を中心に、一定のピッチで回転させるコマ画像を使用するものである。これによって像７は立体像となり、図３の矢印１１の動きに対して、立体像が回転する動画が表示される。このように3D効果を付与する場合には、オブジェクトの回転を伴う動画になるという制限が加わる。
【００５３】
一方で図３の装置全体を９０度回転し、レンチキュラレンズ１ａと静的画像５ａを上下に移動することでコマを送り、動画を表示するものとすれば左右の視差が無くなり、立体感の無い二次元画像による動画とすることができる。
【００５４】
図４に請求項２および４の実施例を斜視図によって示した。２次元レンズアレイ１ｂの前に置かれたレンズが凸レンズ２であれば請求項２の実施例、凹レンズ２０であれば請求項４の実施例となるが、ここでは凸レンズ２としてまず請求項２を説明する。この時視点８は実像７より後方に位置しなければならないため、焦点距離fが視点距離Lより十分小さくなるように凸レンズ２は選択される．請求項２では図２で示された間隔wの点が縦横に間隔wで並んだ点の列に相当するため、表示したい画像から所定の幅で画素ないし矩形状の画像を抽出し、縦横の間隔wで静的画像５bに並べれば良い。同様にして動画を構成する各コマの画像を、縦横にずらしつつ静的画像５ｂに隙間なく並べれば、１ｂに５ｂを固定して共に１２，１３，１４などの方向に動かすことで像７の位置に見える像が切り替わり、動画が観察されることになる。
【００５５】
静的画像５ｂの作成には、マトリクス状のコマ画像群を有する２次元的な動画が用いられ、図５に示した方法を縦横に実施して画像を合成する。簡単に言えばマトリクス状に並ぶコマの各行のついて図５に示した５ａに相当する画像を合成し、各行の合成画像について同様の手法を列方向に使用して画像５ｂを作成することができる。このようにして合成される結果を図９に示すが、一つのコマ画像１８はマトリクス状の矩形画像に分解され、５ｂ上に配置されている。(1,1)〜(7,7)の４点について位置関係を図９の５ｂ中に示した。なおコマ密度が高い場合には句形画像は代表する画素として配置されるが、コマ密度が低い場合には、図６と同様に上下左右を反転縮小して配置すれば画質面でより好ましい。このような画像合成の結果、レンズ１つ分の矩形領域に、縦横の異なるコマから集められた画素ないし矩形画像によってできた、一コマ分の画像１９が並ぶことになるので、各凸レンズがこれらの真上に位置するようにレンズアレイ１ｂを重ねれば良い。
【００５６】
この実施例では図示を容易にするために各コマを7×7本の画素で表示する設定としたが、やはりこれでは実用的な画質にならないので、実際にはピッチpの小さなレンズアレイを使い、20×20〜30×30本ないしはそれ以上の画素で表示することが望ましい。ここで説明した画像の合成法は、非特許文献１において使用されている画像合成法において、pとwを入れ替えたものに等しい。非特許文献１の手法は、M，Nを整数としてp−w＝p／Mないしp−w＝Np／Mである場合に適用できるが、非特許文献２にはこの条件を満たさない場合においても使用可能な画像合成法が記載されている。その手法もpとwを入れ替えることで、本発明の画像合成に応用することができる。いずれの手法においても各コマから抽出した画素ないし矩形部分を縦横に間隔wで数１の幅Wの間に並べる点は共通である。
【００５７】
請求項２の表示装置にも、左右の眼に図７左で説明した視差が存在する。従って同様に視差のあるコマ画像を水平に並べることで3D効果のある表示をすることができる。
【００５８】
ここでは縦横のピッチpが等しいレンズアレイを使った実施例で説明したが、縦と横でピッチが異なるレンズアレイを使っても同様に実施することができる。これは縦と横の画像合成が完全に独立して行えることから明らかである。
【００５９】
次に請求項３および４によって動画を表示する原理を説明する。図１０はレンチキュラレンズないしレンズアレイ１とその焦点面に置かれた静的画像５、凹レンズないしシリンドリカル凹レンズ２０によって構成される装置の平面図（断面図）である。シリンドリカルレンズが並んだレンチキュラレンズと凸レンズが並んだレンズアレイは、レンズの並ぶ方向について同等の機能を有し、また凹レンズとシリンドリカル凹レンズもレンズ作用を有する断面内では同等の機能を有するため同じ図を用いて説明する。
【００６０】
静的画像５に同じ図形６をレンズピッチpで並べて描くと、その像がレンズ２０からその焦点距離−fだけ離れた位置に形成されるが、凹レンズでは負の焦点距離となるため、その像はレンズから奥に見える虚像となる。これは図の上方より見た時、この位置に幅p相当の画像が拡大して観察されることを示している。この時観察される画像が静的画像５のどの部分によって形成されるかを示したものが図１１である。離れた位置にある視点８から視線９を辿ると、レンズ２０で曲げられてpより大きい幅wで並んだ点の列に至ることから、この位置に表示したい画像の対応する部分を並べれば、視点８からその画像が見えることになる。レンズ２０の形状などによって若干ずれることはあるが、wはレンズ２０の焦点距離−f、視点までの距離L、d、レンズ２０とレンチキュラレンズの距離D、とpから数３の式で求められる。
【００６１】
【数３】
2016092623.tif 000005
【００６２】
図３の斜視図において、レンチキュラレンズ１ａの前に置かれたレンズが凹レンズ２０としたものが請求項３の実施例となる。請求項３では図１１で示された間隔wの点が間隔wで並んだ線の列に相当するため、表示したい画像から所定の幅で線画像ないし短冊状の画像を抽出し、間隔wで静的画像５ａに並べれば良い。同様にして動画を構成する各コマの画像を、レンズ列の並ぶ方向にずらしつつ静的画像５ａに隙間なく並べれば、異なるコマから集められた線画ないし短冊状の画像によってできた、一コマ分の画像６ａが並ぶことになるので、レンチキュラレンズ１ａの各シリンドリカルレンズがこれらの真上に位置するように重ね、共に１１の方向に動かすことで像２１の位置に見える像が切り替わり、動画が観察されることになる。
【００６３】
この場合の静的画像５ａの作成法の一例を図１２によって説明する。図中２０１〜２０９は動画を構成する各コマの画像である。全てに描かれている矢印は画像枠内の位置を表すためのもので、実際にはコマの進行に伴って少しずつ変化する画像が描かれる。この例はw＝8p／7の場合を示しているが、各コマから７本の線画が抽出されて間隔wで５ａ上に並べられ、各コマの線画はpずつずらして並べることで継続的に多数のコマを並べることができる。一コマの占める幅は7w＝8pであり数１のWに一致している。ここに並べることのできるコマ数には幅pに入る線画像の本数(7)による制限はなく、５ａの長さを伸ばすことでいくらでも増やすことができる。また線画の位置を明確にするため、図では各線画が離れて描かれているが、実際には抽出された線画は隙間なく並べられているので、コマとコマの間が途切れることはなく、動画らしい連続的な切り替わりが実現される。もちろん部分的にコマが存在しない端の部分、すなわち最初と最後の部分はこの限りではなく、請求項に書かれている「隙間なく並べる」はこの部分を例外として除いた表現である。
【００６４】
この実施例では図示を容易にするために各コマを７本の線画で表示する設定としたが、これでは実用的な画質にならないので、実際にはピッチpの小さなレンチキュラレンズを使い、20〜30本ないしはそれ以上の線画で表示することが望ましい。Mを整数としてw−p＝p／Mとし、各コマからM本の線画を抽出して間隔wで幅(M+1)pに並べ、各コマの線画をpずつずらして並べる方法は最も簡単な合成法で、これもまた非特許文献１において使用されている画像合成法において、pとwを入れ替えたものに等しい。非特許文献１の手法は、M，Nを整数としてw−p＝p／Mないしw−p＝Np／Mである場合に適用できる。非特許文献２にはこの条件を満たさない場合においても使用可能な画像合成法が記載されているが、その手法もpとwを入れ替えることで、本発明の画像合成に応用することができる。いずれの手法においても各コマから抽出した線画を間隔wで数１の幅Wの間に並べる点は共通である。数１のWは波長pと波長wの周期模様が作るモアレの波長に他ならない。
【００６５】
滑らかな動きの動画を表示するためには、より多数のコマ画像を使用して合成画像５ａを作るのが好ましい。そのためには印刷解像度の限界に相当する線画に分解して並べることが好ましい。逆にスライドショーのようにコマ送りが認識できる動画を表示するのであれば、同じ幅に入れるコマ数は少なくなるため、並べる画像の幅は印刷解像度より広くなる。このような場合には線画ではなく、短冊状の画像を縮小して並べる方がより好ましい。この様子を図１３に示すが、コマ画像２０１を構成する短冊状の画像を、縮小して５ａに並べることで、より高精細な静的画像５ａを作成することができ、画質的に有利になる。
【００６６】
図３の実施例において、凹レンズ２０はレンチキュラレンズを構成する各シリンドリカルレンズと平行なシリンドリカル凹レンズ（単レンズ）に置き換えることができる。シリンドリカル凹レンズの働きは水平面内で凹レンズと同等であるが、垂直方向にはレンズ作用を持たない。このため垂直方向にもレンズ作用を持ち、縦に画像を若干縮小する凹レンズを使う場合に比べて、あらかじめ画像５ａを縦に縮小して印刷し、観測される画像の縦横比が狂わないようにしておく必要がある。縦倍率の補正量はシリンドリカル凹レンズとレンチキュラレンズ１ａ間の距離や各レンズの仕様、観察距離などによって容易に計算することができる。このようにシリンドリカルレンズでは縦倍率の補正が必要な点で面倒であるが、画像枠を矩形に取る場合には収差の点で凹レンズに比べて有利である。凹レンズでは矩形枠の対角線方向に屈折角が大きくなり、四隅で収差が大きくなることを避け難い。
【００６７】
図１２の作画例のように左から右に進行するコマを並べる時には、図３に示したように１１の方向に１ａ，５ａを移動すれば、凹レンズ２０を通して正しい順番にコマが切り替わって見える。一方図１２の左右を反転させれば容易に分かるように、右から左にコマを並べることも全く同様にでき、その場合は矢印１１とは反対の方向に動かせば良い。またこのように水平方向にコマを並べるときには、結果として左右の眼に捉えられる画像に視差を生じるが、これを利用して立体感を感じる3D効果を持たせることが可能である。
【００６８】
図３で凹レンズ２０を使う請求項３の実施例を下方より見た平面図を図７右に示した。左目の視点８Ｌから見た像２１は静的画像５ａの部分１５Ｌ、右目の視点８Ｒから見た像２１は静的画像５ａの部分１５Ｒになり、これは図１２で合成する別のコマ画像に相当する。これらに立体的な視差を与えて3D効果を待たせるには、５ａのより左に位置するコマに、より左の視点から見た画像を置き、より右に位置するコマに、より右の視点から見た画像を置けば良い。図８の１７にその一例を示したが、三次元的なオブジェクトを垂直軸を中心に、図７左の請求項１の場合とは逆の方向に一定のピッチで回転させるコマ画像を使用するものである。これによって像２１は立体像となり、図３の矢印１１の動きに対して、立体像が回転する動画が表示される。このように3D効果を付与する場合には、オブジェクトの回転を伴う動画になるという制限が加わる。
【００６９】
一方で図３の装置全体を９０度回転し、レンチキュラレンズ１ａと静的画像５ａを上下に移動することでコマを送り、動画を表示するものとすれば左右の視差が無くなり、立体感の無い二次元画像による動画とすることができる。
【００７０】
図４の斜視図において、２次元レンズアレイ１ｂの前に置かれたレンズを凹レンズ２０としたものが請求項４の実施例である。請求項４では図１１で示された間隔wの点が縦横に間隔wで並んだ点の列に相当するため、表示したい画像から所定の幅で画素ないし矩形状の画像を抽出し、縦横の間隔wで静的画像５bに並べれば良い。同様にして動画を構成する各コマの画像を、縦横にずらしつつ静的画像５ｂに隙間なく並べれば、１ｂに５ｂを固定して共に１２，１３，１４などの方向に動かすことで像２１の位置に見える像が切り替わり、動画が観察されることになる。
【００７１】
静的画像５ｂの作成には、マトリクス状のコマ画像群を有する２次元的な動画が用いられ、図１２に示した方法を縦横に実施して画像を合成する。簡単に言えばマトリクス状に並ぶコマの各行のついて図１２に示した５ａに相当する画像を合成し、各行の合成画像について同様の手法を列方向に使用して画像５ｂを作成することができる。このようにして合成される結果は、請求項２について図９に示したものと類似したものになり、一つのコマ画像がマトリクス状の矩形画像に分解され、５ｂ上に配置されたものになる。画像合成の結果レンズ１つ分の矩形領域に、縦横の異なるコマから集められた画素ないし矩形画像によってできた、一コマ分の画像が並ぶことになるので、各凸レンズがこれらの真上に位置するようにレンズアレイ１ｂを重ねれば良い。
【００７２】
請求項４の画像の合成法も、非特許文献１において使用されている画像合成法において、pとwを入れ替えたものに等しい。非特許文献１の手法は、M，Nを整数としてw−p＝p／Mないしw−p＝Np／Mである場合に適用できるが、非特許文献２にはこの条件を満たさない場合においても使用可能な画像合成法が記載されている。その手法もpとwを入れ替えることで、本発明の画像合成に応用することができる。いずれの手法においても各コマから抽出した画素ないし矩形部分を縦横に間隔wで数１の幅Wの間に並べる点は共通である。
【００７３】
請求項４の表示装置にも、左右の眼に図７右で説明した視差が存在する。従って同様に視差のあるコマ画像を水平に並べることで3D効果のある表示をすることができる。
【００７４】
ここでは縦横のピッチpが等しいレンズアレイを使った実施例で説明したが、縦と横でピッチが異なるレンズアレイを使っても同様に実施することができる。これは縦と横の画像合成が完全に独立して行えることから明らかである。
【００７５】
次に請求項５および６によって動画を表示する原理を説明する。図１４はレンチキュラレンズ２２とその焦点面に置かれた光拡散スクリーン２４、透過性の静的画像２６、点光源２８によって構成される装置の平面図（断面図）である。点光源２８の光はレンチキュラレンズ２２によってスクリーン２４上に集光され、ピッチｑで並ぶ紙面に垂直な方向に伸びた輝線２５の列が形成される。qは２２のピッチｐより大きく、数４で与えられる。点光源２８は紙面に垂直な方向に長い線光源であっても良く、また同方向に複数が並んだ点光源であっても良い。どちらも輝線２５の形状は同等になる。
【００７６】
【数４】
2016092623.tif 000006
【００７７】
透過性の静的画像２６に同じ図形２７をレンズピッチpで並べて描くと、輝線２５からの光によって個々の図形２７が影絵のように投影され、それらが重なる位置に実像２９が形成される。このことは図の上方より見た時、この位置に幅p相当の画像が拡大されて見えることを示している。スクリーン２４から像２９までの距離Dは数５で与えられる。
【００７８】
【数５】
2016092623.tif 000007
【００７９】
この時観察される画像が静的画像２６のどの部分によって形成されるかを示したものが図１５である。離れた位置にある視点８から視線９を辿ると、視点８と輝線２５を結ぶ平面が静的画像２６と交差する位置にある線の列が見えることになる。その幅wは数６で与えられるが、視点８までの距離Lに対して光源２８までの距離Fが十分小さければwはpより大きく、この位置に表示したい画像の対応する部分を並べることで、視点８にその画像を見せることができる。
【００８０】
【数６】
2016092623.tif 000008
【００８１】
図１８の斜視図において、レンチキュラレンズ２２の後ろに点線で書かれたレンズ３０が無く、単一の点光源２８を有するものが請求項５の実施例となる。ここでは図１５で示された間隔wの点が間隔wで並んだ線の列に相当するため、表示したい画像から所定の幅で線画像ないし短冊状の画像を抽出し、間隔wで静的画像２６に並べれば良い。同様にして動画を構成する各コマの画像を、レンズ列の並ぶ方向にずらしつつ静的画像２６に隙間なく並べれば、異なるコマから集められた線画ないし短冊状の画像によってできた、一コマ分の画像２７が並ぶことになるので、レンチキュラレンズ２２の各シリンドリカルレンズ２３がこれらの真上に位置するように重ね、共に１１の方向に動かすことで像２９の位置に見えるコマ画像が切り替わり、動画が観察されることになる。
【００８２】
図１８で示した請求項５の実施例に点光源の列２８ｓを加え、２２〜２６を１１の方向に動かす代わりに、２８ｓの点灯する位置を移動することで同様の動画を表示するものが請求項６の実施例になる。請求項６では機械的な可動部を持たずに動画を表示できるという利点があるが、一方で像２９が２８ｓの点灯位置と共に移動するという副作用を生じる。
【００８３】
静的画像２６の作成法は図１２によって説明した静的画像５ａの作成法と同じである。また実用的な画質とするためには、ピッチpの小さなレンチキュラレンズを使い、20〜30本ないしはそれ以上の線画で表示することが望ましいことも同様である。請求項５，６の表示装置には、左右の眼に図７左で説明した視差が存在する。従って図８の１６で示した視差のあるコマ画像を水平に並べることで3D効果のある表示をすることができる。一方で図１８の装置全体を９０度回転し、レンチキュラレンズ２２と静的画像２６を上下に移動することでコマを送り、動画を表示するものとすれば左右の視差が無くなり、立体感の無い二次元画像による動画とすることができる。
【００８４】
図１４においてレンチキュラレンズ２２を凸レンズが縦横に並んだレンズアレイに置き換えたものが請求項７となり、請求項５と同じ平面図によって説明することができる。点光源２８の光は光拡散スクリーン２４上に集光され、ピッチｑで縦横に並ぶ輝点２５の列が形成される。点光源２８は基本的に単一であるが、スクリーン２４上で同じ位置の輝点に集光するという条件を満たす位置に置くことが可能であれば、その条件を満たすように複数置いても構わない。
【００８５】
請求項７における静的画像２６は、二次元的な動画を構成する画像群から請求項４と同様の方法で作成することができ、２２〜２６を縦横あるいは斜めに移動することで動画を表示することができる。請求項８では同様の装置構成において、点光源２８を縦横あるいは斜めに並べ、その点灯位置を移動することで同様の動画を表示する。請求項８は機械的な可動部を持たずに動画を表示するという利点を求めたものであるが、一方で像２９が点光源の点灯位置と共に移動するという副作用を生じる。
【００８６】
請求項７，８の表示装置においても、左右の眼に図７左で説明した視差が存在する。従って図８の１６で示した視差のあるコマ画像を水平に並べることで3D効果のある表示をすることができる。
【００８７】
さらに図１６によって請求項９を説明する。請求項５の図１４に凸レンズ３０が加えられ、点光源２８の像３１がレンチキュラレンズ２２を超えた反対側に形成される。凸レンズ３０は紙面に垂直なシリンドリカルレンズであっても良く、その機能は紙面内で凸レンズと等しい。点光源２８の光はレンチキュラレンズ２２によってスクリーン２４上に集光され、ピッチｑで並ぶ紙面に垂直な方向に伸びた輝線２５の列が形成されるが、凸レンズ３０の作用によってqは２２のピッチｐより小さくなる。qはスクリーン２４から点光源の像３１までの距離Eによって数７で与えられる。点光源２８は紙面に垂直な方向に長い線光源であっても良く、また同方向に複数が並んだ点光源であっても良い。どちらも輝線２５の形状は同等になる。
【００８８】
【数７】
2016092623.tif 000009
【００８９】
透過性の静的画像２６に同じ図形２７をレンズピッチpで並べて描くと、図１７に示すように輝線２５からの光によって個々の図形２７が影絵のように投影され、それらをレンチキュラレンズ２２の側（下方）に延長したものが重なる位置に虚像３２が形成される。このことは図の上方より見た時、この位置に幅p相当の画像が拡大されて見えることを示している。スクリーン２４から像３２までの距離Dは数８で与えられる。
【００９０】
【数８】
2016092623.tif 000010
【００９１】
図１７において離れた位置にある視点８から視線９を辿ると、視点８と輝線２５を結ぶ平面が静的画像２６と交差する位置にある線の列が見えることになる。その幅wはpより小さく数９で与えられるが、この位置に表示したい画像の対応する部分を並べることで、視点８にその画像を見せることができる。
【００９２】
【数９】
2016092623.tif 000011
【００９３】
図１８の斜視図において、レンチキュラレンズ２２の後ろに点線で書かれたレンズ３０が置かれ、単一の点光源２８を有するものが請求項９の実施例となる。ここでは図１７で示された間隔wの点が間隔wで並んだ線の列に相当するため、表示したい画像から所定の幅で線画像ないし短冊状の画像を抽出し、間隔wで静的画像２６に並べれば良い。同様にして動画を構成する各コマの画像を、レンズ列の並ぶ方向にずらしつつ静的画像２６に隙間なく並べれば、異なるコマから集められた線画ないし短冊状の画像によってできた、一コマ分の画像２７が並ぶことになるので、レンチキュラレンズ２２の各シリンドリカルレンズ２３がこれらの真上に位置するように重ね、共に１１の方向に動かすことで像３２の位置に見えるコマ画像が切り替わり、動画が観察されることになる。
【００９４】
静的画像２６の作成法は図５によって説明した静的画像５ａの作成法と同じである。また実用的な画質とするためには、ピッチpの小さなレンチキュラレンズを使い、20〜30本ないしはそれ以上の線画で表示することが望ましいことも同様である。請求項９の表示装置には、左右の眼に図７右で説明した視差が存在する。従って図８の１７で示した視差のあるコマ画像を水平に並べることで3D効果のある表示をすることができる。一方で図１８の装置全体を９０度回転し、レンチキュラレンズ２２と静的画像２６を上下に移動することでコマを送り、動画を表示するものとすれば左右の視差が無くなり、立体感の無い二次元画像による動画とすることができる。
【００９５】
図１６においてレンチキュラレンズ２２を凸レンズが縦横に並んだレンズアレイに置き換えたものが請求項１０となり、請求項９と同じ平面図によって説明することができる。点光源２８の光は光拡散スクリーン２４上に集光され、ピッチｑで縦横に並ぶ輝点２５の列が形成される。点光源２８は基本的に単一である。凸レンズ３０の収差が存在するため、スクリーン２４上で同じ位置の輝点に集光するように複数置くことは困難である。
【００９６】
請求項１０における静的画像２６は、二次元的な動画を構成する画像群から請求項２と同様の方法で作成することができ、２２〜２６を縦横あるいは斜めに移動することで動画を表示することができる。
【００９７】
請求項１０の表示装置においても、左右の眼に図７右で説明した視差が存在する。従って図８の１７で示した視差のあるコマ画像を水平に並べることで3D効果のある表示をすることができる。
【００９８】
さらに図１９によって請求項１１を説明する。図１９はレンチキュラレンズ３３とその焦点面に置かれた透過性の静的画像３４、光拡散スクリーン３６、点光源３７によって構成される装置の平面図（断面図）である。点光源３７の光はレンチキュラレンズ３３によって静的画像３４上に集光され、ｐより大きいピッチwで並ぶ紙面に垂直な方向に伸びた線上を通過するが、この時同線上の画像情報で色付けされてスクリーン３６に線画像が投影される。静的画像３４に同じ図形３５をレンズピッチpで並べて描くと、スクリーン３６には投影された線画像の列によって図形３５を拡大した像３８が形成される。このことはスクリーン３６に幅p相当の画像が拡大されて見えることを示している。ここでwは数１０で与えられる。
【００９９】
【数１０】
2016092623.tif 000012
【０１００】
静的画像３４とスクリーン３６間の隙間ｇは、各線画像の幅を広げて投影し、像３８を見やすくするために設けられたものであるが、線画像の間隔が小さく見にくくならなければ、g＝0として密着させてもかまわない。逆にgは大きくなりすぎると像３８がボケてしまうので、数１１の範囲内に収めることが好ましい。
【０１０１】
【数１１】
2016092623.tif 000013
【０１０２】
図２０に装置の斜視図を示した。スクリーン３６に投影される像３８は、図１９で示された間隔wで並んだ線の列に相当するため、表示したい画像から所定の幅で線画像ないし短冊状の画像を抽出し、間隔wで静的画像３４に並べれば良い。同様にして動画を構成する各コマの画像を、レンズ列の並ぶ方向にずらしつつ静的画像３４に隙間なく並べれば、異なるコマから集められた線画ないし短冊状の画像によってできた、一コマ分の画像３５が並ぶことになるので、レンチキュラレンズ３３の各シリンドリカルレンズがこれらの真下に位置するように重ね、共に１１の方向に動かすことで像３８に見えるコマ画像が切り替わり、動画が観察されることになる。
【０１０３】
静的画像３４の作成法は図１２によって説明した静的画像５ａの作成法と同じである。また実用的な画質とするためには、ピッチpの小さなレンチキュラレンズを使い、20〜30本ないしはそれ以上の線画で表示することが望ましいことも同様である。像３８は二次元画像であるため、左右の眼に視差は存在せず、立体感の無い動画となる。
【０１０４】
図２０に示した請求項１１の実施例に点光源の列３７ｓを加え、３３，３４を１１の方向に動かす代わりに、３７ｓの点灯する位置を移動することで同様の動画を表示するものが請求項１２の実施例になる。請求項１２では機械的な可動部を持たずに動画を表示できるという利点があるが、一方で像３８が３７ｓの点灯位置と共に移動するという副作用を生じる。
【０１０５】
図１９においてレンチキュラレンズ３３を凸レンズが縦横に並んだレンズアレイに置き換えたものが請求項１３となり、像３８の形態を除き請求項１１と同じ平面図によって説明することができる。点光源３７の光は静的画像３４上に集光され、ｐより大きいピッチwで並ぶ点上を通過するが、この時同点上の画像情報で色付けされてスクリーン３６に投影される。静的画像３４に同じ図形３５をレンズピッチpで並べて描くと、スクリーン３６には縦横に並ぶ点像によって図形３５を拡大した像が形成される。
【０１０６】
請求項１３における静的画像３４は、二次元的な動画を構成する画像群から請求項４と同様の方法で作成することができ、３３，３４を縦横あるいは斜めに移動することで動画を表示することができる。請求項１４では同様の装置構成において、点光源３７を縦横あるいは斜めに並べ、その点灯位置を移動することで同様の動画を表示する。請求項１４は機械的な可動部を持たずに動画を表示するという利点を求めたものであるが、一方で像が点光源の点灯位置と共に移動するという副作用を生じる。
【０１０７】
次に請求項１５によって動画を表示する原理を説明する。図２１はレンチキュラレンズ３９とそのレンズ面に密着して置かれた透過性の静的画像４０、点光源４２とレンチキュラレンズ３９を構成するシリンドリカルレンズに平行な方向、すなわち紙面に垂直な方向に光を拡散する手段４５によって構成される装置の平面図（断面図）である。拡散手段４５にはピッチの細かなレンチキュラレンズや、異方性拡散フィルムなどを使うことができるが、点光源４２の代わりに紙面に垂直な方向に長い線光源を使う場合には、拡散手段４５を省くこともできる。点光源４２の光は拡散手段４５を通過することで紙面に垂直な方向に広がりを持つ光線になり、静的画像４０を通った後、レンチキュラレンズ３９によってピッチｑで並ぶ焦点、すなわち紙面に垂直な方向に伸びた輝線４４に集光される。ここでqは数１２で与えられる。
【０１０８】
【数１２】
2016092623.tif 000014
【０１０９】
静的画像４０に同じ図形４１をレンズピッチpで並べて描くと、輝線４４を通過する光によって個々の図形４１が投影され、それらをレンチキュラレンズ３９の側（下方）に延長したものが重なる位置に虚像４３が形成される。静的画像４０がレンチキュラレンズ３９のレンズ面に密着している場合には、虚像４３の位置は点光源４２の位置に一致する。静的画像４０とレンチキュラレンズ３９のレンズ面の間に距離がある場合には、その分だけ虚像４３は点光源４２より奥に位置することになる。静的画像４０は透明なフィルムや板に形成されたものでもよいが、レンチキュラレンズ３９のレンズ面に直接印刷されたものであって良い。また本実施例においてレンチキュラレンズ３９はそのレンズ面を点光源４２の側（図の下方）に向けて置かれているが、逆に視点側（図の情上方）を向けて置いてもよく、その際は静的画像４０もレンズ面の側に置くのが好ましい。
【０１１０】
この時観察される画像が静的画像４０のどの部分によって形成されるかを示したものが図２２である。離れた位置にある視点８から視線９を辿ると、視点８と輝線４４を結ぶ平面が静的画像４０と交差する位置にある線の列が見えることになる。その幅wは数１３で与えられるが、wはpより大きな値になり、この位置に表示したい画像の対応する部分を並べることで、視点８にその画像を見せることができる。
【０１１１】
【数１３】
2016092623.tif 000015
【０１１２】
図２７の斜視図において、レンチキュラレンズ３９の前に点線で書かれたレンズ５２が無く、単一の点光源４２ａを有するものが請求項１５の実施例となる。ここでは図２２で示された間隔wの点が間隔wで並んだ線の列に相当するため、表示したい画像から所定の幅で線画像ないし短冊状の画像を抽出し、間隔wで静的画像４０に並べれば良い。同様にして動画を構成する各コマの画像を、レンズ列の並ぶ方向にずらしつつ静的画像４０に隙間なく並べれば、異なるコマから集められた線画ないし短冊状の画像によってできた、一コマ分の画像４１が並ぶことになるので、レンチキュラレンズ３９の各シリンドリカルレンズがこれらの真上に位置するように重ね、共に１１の方向に動かすことで像４３の位置に見えるコマ画像が切り替わり、動画が観察されることになる。
【０１１３】
図２７で示した請求項１５の実施例に点光源の列４２ａｓを加え、３９〜４０を１１の方向に動かす代わりに、４２ａｓの点灯する位置を移動することで同様の動画を表示するものが請求項１６の実施例になる。請求項１６では機械的な可動部を持たずに動画を表示できるという利点があるが、一方で像４３が４２ａｓの点灯位置と共に移動するという副作用を生じる。
【０１１４】
図２８の斜視図において、レンチキュラレンズ３９の前に点線で書かれたレンズ５２が無く、単一の線光源４２ｂを有するものが請求項１５の他の実施例となる。視点８に観測されるのは静的画像４０で変調された光源の像であるため、光源の像は縦の輝線にならなければならない。このため図２７のように点光源４２ａを使う場合には、拡散手段４５によって光線を縦に拡散する必要があった。さもなければ点光源４２ａの像は輝点のままである。これに対して線光源４２ｂであれば、そのままで輝線の像となるため拡散手段４５が不要になる。さらに線光源の列４２ｂｓを加え、３９〜４０を１１の方向に動かす代わりに、４２ｂｓの点灯する位置を移動することで同様の動画を表示することもできる（請求項１６）。
【０１１５】
静的画像４０の作成法は図１２によって説明した静的画像５ａの作成法と同じである。また実用的な画質とするためには、ピッチpの小さなレンチキュラレンズを使い、20〜30本ないしはそれ以上の線画で表示することが望ましいことも同様である。請求項１５，１６の表示装置には、左右の眼に図７右で説明した視差が存在する。従って図８の１７で示した視差のあるコマ画像を水平に並べることで3D効果のある表示をすることができる。一方で図２７や図２８の装置全体を９０度回転し、レンチキュラレンズ３９と静的画像４０を上下に移動することでコマを送り、動画を表示するものとすれば左右の視差が無くなり、立体感の無い二次元画像による動画とすることができる。
【０１１６】
図２１，２２においてレンチキュラレンズ３９を凸レンズが縦横に並んだレンズアレイに置き換えたものが請求項１９となり、請求項１５と同じ平面図によって説明することができる。点光源４２の光は静的画像４０を通った後、レンズアレイによってピッチｑで並ぶ焦点に集光され、これを視点８から見ると、縦横に並ぶ点像によって１コマ分の画像が観察できる。
【０１１７】
請求項１９における静的画像４０は、二次元的な動画を構成する画像群から請求項４と同様の方法で作成することができ、３９，４０を縦横あるいは斜めに移動することで動画を表示することができる。請求項２０では同様の装置構成において、点光源４２を縦横あるいは斜めに並べ、その点灯位置を移動することで同様の動画を表示する。請求項２０は機械的な可動部を持たずに動画を表示するという利点を求めたものであるが、一方で像が点光源の点灯位置と共に移動するという副作用を生じる。
【０１１８】
図２３によって請求項１７の原理を説明する。請求項１７は図２１に示した請求項１５の構成において、レンチキュラレンズ３９をシリンドリカル凹レンズがピッチpで面上に並んだレンチキュラレンズ４６に置き換えたものに等しい。点光源４９の光は拡散手段４５を通過することで紙面に垂直な方向に広がりを持つ光線になり、静的画像４７を通った後、レンチキュラレンズ４６によって広げられる。これは各シリンドリカル凹レンズによる点光源４９の虚像、すなわち紙面に垂直な方向に伸びた輝線５０から発する光に等しい。輝線５０は数１４のピッチｑで並ぶ。
【０１１９】
【数１４】
2016092623.tif 000016
【０１２０】
静的画像４７に同じ図形４８をレンズピッチpで並べて描くと、レンチキュラレンズ４６を通過する光によって個々の図形４８が投影され、その光線を輝線５０を通し点光源４９の側（下方）に延長したものが重なる位置に虚像５１が形成される。静的画像４７がレンチキュラレンズ４６のレンズ面に密着している場合には、虚像５１の位置は点光源４９の位置に一致する。静的画像４７とレンチキュラレンズ４６のレンズ面の間に距離がある場合には、その分だけ虚像５１は点光源４９より手前に位置することになる。静的画像４７は透明なフィルムや板に形成されたものでもよいが、レンチキュラレンズ４６のレンズ面に直接印刷されたものであって良い。また本実施例においてレンチキュラレンズ４６はそのレンズ面を点光源４９の側（図の下方）に向けて置かれているが、逆に視点側（図の上方）を向けて置いてもよく、その際は静的画像４７もレンズ面の側に置くのが好ましい。
【０１２１】
この時観察される画像が静的画像４７のどの部分によって形成されるかを示したものが図２４である。離れた位置にある視点８から視線９を辿ると、視点８と輝線５０を結ぶ平面が静的画像４７と交差する位置にある線の列が見えることになる。その幅wは数１５で与えられるが、wはpより小さな値になり、この位置に表示したい画像の対応する部分を並べることで、視点８にその画像を見せることができる。
【０１２２】
【数１５】
2016092623.tif 000017
【０１２３】
図２７の斜視図において、レンチキュラレンズ３９をシリンドリカル凹レンズがピッチpで面上に並んだレンチキュラレンズ４６に置き換えたものが請求項１７の実施例となる。請求項１５のwがpより大きいのに対し、図２４で示されたwはpより大きい点が異なること以外は請求項１５と同じであり、同様に動画が観察される。点光源の列を加えて、その点灯する位置を移動することで同様の動画を表示することもできる（請求項１８）。
【０１２４】
図２８の斜視図において、レンチキュラレンズ３９をシリンドリカル凹レンズがピッチpで面上に並んだレンチキュラレンズ４６に置き換えたものが請求項１７の他の実施例となる。請求項１５と同じく線光源を使うことで拡散手段４５を省くことができる。さらに線光源の列を加えて、その点灯する位置を移動することで同様の動画を表示することもできる（請求項１８）。
【０１２５】
静的画像４７の作成法は図５によって説明した静的画像５ａの作成法と同じである。また実用的な画質とするためには、ピッチpの小さなレンチキュラレンズを使い、20〜30本ないしはそれ以上の線画で表示することが望ましいことも同様である。請求項１７，１８の表示装置には、左右の眼に図７右で説明した視差が存在する。従って図８の１７で示した視差のあるコマ画像を水平に並べることで3D効果のある表示をすることができる。一方で装置全体を９０度回転し、レンチキュラレンズ４６と静的画像４７を上下に移動することでコマを送り、動画を表示するものとすれば左右の視差が無くなり、立体感の無い二次元画像による動画とすることができる。
【０１２６】
図２３，２４においてレンチキュラレンズ４６を凹レンズが縦横に並んだレンズアレイに置き換えたものが請求項２１となり、請求項１７と同じ平面図によって説明することができる。点光源４９の光は静的画像４７を通った後、レンズアレイによって広げられる。これは各凹レンズによる点光源４９の虚像である輝点５０から発する光に等しい。輝点５０は数１４のピッチｑで並び、これを視点８から見ると、縦横に並ぶ点像によって１コマ分の画像が観察できる。
【０１２７】
請求項２１における静的画像４７は、二次元的な動画を構成する画像群から請求項２と同様の方法で作成することができ、４６，４７を縦横あるいは斜めに移動することで動画を表示することができる。請求項２２では同様の装置構成において、点光源４９を縦横あるいは斜めに並べ、その点灯位置を移動することで同様の動画を表示する。請求項２２は機械的な可動部を持たずに動画を表示するという利点を求めたものであるが、一方で像が点光源の点灯位置と共に移動するという副作用を生じる。
【０１２８】
次に図２５によって請求項２３を説明する。請求項１５の図２１に凸レンズ５２が加えられ、点光源４２の像５３がレンチキュラレンズ３９を超えた反対側に形成される。これによって集光される輝線４４のピッチqがpより小さい値に変わり。図形４１の像を形成する位置が、図２１の像４３から視点側の像５４に変化する。ここでqは数１４で与えられる。凸レンズ５２は紙面に垂直なシリンドリカルレンズであっても良く、その機能は紙面内で凸レンズと等しい。
【０１２９】
図２２と同様に視線を辿り、静的画像４０中の観察される線画のピッチwを求めると、wは数１６になりpより小さな値になるため、図５によって説明した静的画像５ａの作成法と同じ方法で静的画像４０を作れば、請求項１５と同様に動画を表示することができることがわかる。図２７、２８において、点線で示した位置にレンズ５２を置いたものが請求項２３の実施例になり、３９，４０を１１の方向に動かすことで像５４の位置に動画が観察される。
【０１３０】
【数１６】
2016092623.tif 000018
【０１３１】
図２５においてレンチキュラレンズ３９を凸レンズが縦横に並んだレンズアレイに置き換えたものが請求項２５となり、請求項２３と同じ平面図によって説明することができる。点光源４２の光は静的画像４０を通った後、レンズアレイによってピッチｑで並ぶ焦点に集光され、これを視点８から見ると、縦横に並ぶ点像によって１コマ分の画像が観察できる。請求項２５における静的画像４０は、二次元的な動画を構成する画像群から請求項２と同様の方法で作成することができ、３９，４０を縦横あるいは斜めに移動することで動画を表示することができる。
【０１３２】
さらに図２６によって請求項２４を説明する。請求項１７の図２３に凸レンズ５２が加えられ、点光源４９の像がレンチキュラレンズ４６を超えた反対側に形成される。これによって集光される輝線５０のピッチqがpより大きい値に変わり。図形４８の像を形成する位置が、図２３の像５１から視点側の像５５に変化する。ここでqは数１２で与えられる。凸レンズ５２は紙面に垂直なシリンドリカルレンズであっても良く、その機能は紙面内で凸レンズと等しい。
【０１３３】
図２４と同様に視線を辿り、静的画像４７中の観察される線画のピッチwを求めると、wは数１７になりpより大きな値になるため、図１２によって説明した静的画像５ａの作成法と同じ方法で静的画像４７を作れば、請求項１７と同様に動画を表示することができることがわかる。図２７、２８において、レンチキュラレンズ３９をシリンドリカル凹レンズがピッチpで面上に並んだレンチキュラレンズ４６に置き換え、点線で示した位置にレンズ５２を置いたものが請求項２４の実施例になる。
【０１３４】
【数１７】
2016092623.tif 000019
【０１３５】
図２６においてレンチキュラレンズ４６を凹レンズが縦横に並んだレンズアレイに置き換えたものが請求項２６となり、請求項２４と同じ平面図によって説明することができる。点光源４９の光は静的画像４７を通った後、レンズアレイによって広げられる。これは各凹レンズによる点光源４９の虚像である輝点５０から発する光に等しい。輝点５０は数１２のピッチｑで並び、これを視点８から見ると、縦横に並ぶ点像によって１コマ分の画像が観察できる。請求項２６における静的画像４７は、二次元的な動画を構成する画像群から請求項４と同様の方法で作成することができ、４６，４７を縦横あるいは斜めに移動することで動画を表示することができる。
【０１３６】
請求項２３〜２６の表示装置には、左右の眼に図７左で説明した視差が存在する。従って図８の１６で示した視差のあるコマ画像を水平に並べることで3D効果のある表示をすることができる。一方で装置全体を９０度回転し、レンチキュラレンズと静的画像を上下に移動することでコマを送り、動画を表示するものとすれば左右の視差が無くなり、立体感の無い二次元画像による動画とすることができる。
【０１３７】
次に請求項２７によって動画を表示する原理を説明する。図２９はレンチキュラレンズ５６とその焦点面に置かれた光拡散スクリーン５７、これから所定の距離ｉをおいてスクリーン５７と平行に置かれた透過性の静的画像５８、点光源６０によって構成される装置の平面図（断面図）である。静的画像５８に記録された画像は点光源６０の光により、影絵の原理でスクリーン５７に拡大投影される。静的画像５８に同じ図形５９をレンズピッチpで並べて描くと、スクリーン５７上でその像６１はpより大きなピッチsで並び、レンチキュラレンズ５６によってその像６２が点光源６０とは反対の側（図の上方）に形成される。これは図の上方より見た時、この位置に静的画像５８上の幅pに相当する画像が拡大して観察されることを示している。
【０１３８】
この時観察される画像が静的画像５８のどの部分によって形成されるかを示したものが図３０である。離れた位置にある視点８から視線９を辿ってスクリーン５７上の点を求め、さらにスクリーン５７から点光源６０に光線を辿ると静的画像５８上でピッチｗで並ぶ点、すなわち紙面に垂直な線で交差し、その位置にある線の列が見えることになる。wは数１８で与えられるが、視点８までの距離Lに対して点光源６０までの距離Fが小さければwはpより小さく、この位置に表示したい画像の対応する部分を並べることで、視点８にその画像を見せることができる。
【０１３９】
【数１８】
2016092623.tif 000020
【０１４０】
図３３の斜視図において、静的画像５８の前に点線で書かれたレンズ６３が無く、単一の点光源６０を有するものが請求項２７の実施例となる。ここでは図３０で示された間隔wの点が間隔wで並んだ線の列に相当するため、表示したい画像から所定の幅で線画像ないし短冊状の画像を抽出し、間隔wで静的画像５８に並べれば良い。同様にして動画を構成する各コマの画像を、レンズ列の並ぶ方向にずらしつつ静的画像５８に隙間なく並べれば、異なるコマから集められた線画ないし短冊状の画像によってできた、一コマ分の画像５９が並ぶことになるので、レンチキュラレンズ５６の各シリンドリカルレンズがこれらの真上に位置するように重ね、共に１１の方向に動かすことで像６２の位置に見えるコマ画像が切り替わり、動画が観察されることになる。
【０１４１】
図３３で示した請求項２７の実施例に点光源の列６０ｓを加え、５６〜５８を１１の方向に動かす代わりに、６０ｓの点灯する位置を移動することで同様の動画を表示するものが請求項２８の実施例になる。請求項２８では機械的な可動部を持たずに動画を表示できるという利点があるが、一方で像６２が６０ｓの点灯位置と共に移動するという副作用を生じる。
【０１４２】
静的画像５８の作成法は図５によって説明した静的画像５ａの作成法と同じである。また実用的な画質とするためには、ピッチpの小さなレンチキュラレンズを使い、20〜30本ないしはそれ以上の線画で表示することが望ましいことも同様である。請求項２７，２８の表示装置には、左右の眼に図７左で説明した視差が存在する。従って図８の１６で示した視差のあるコマ画像を水平に並べることで3D効果のある表示をすることができる。一方で図３３の装置全体を９０度回転し、レンチキュラレンズ５６と静的画像５８を上下に移動することでコマを送り、動画を表示するものとすれば左右の視差が無くなり、立体感の無い二次元画像による動画とすることができる。
【０１４３】
図２９においてレンチキュラレンズ５６を凸レンズが縦横に並んだレンズアレイに置き換えたものが請求項２９となり、請求項２７と同じ平面図によって説明することができる。静的画像５８は点光源６０の光により、影絵の原理でスクリーン５７に拡大され、レンズアレイによって像６２が形成される。図３０で示すように視点８から観察すると、静的画像５８中の縦横にピッチwで並んだ点が見えるため。それらの点に見せたいコマ画像を配置すればよい。
【０１４４】
請求項２９における静的画像５８は、二次元的な動画を構成する画像群から請求項２と同様の方法で作成することができ、５６〜５８を縦横あるいは斜めに移動することで動画を表示することができる。請求項３０では同様の装置構成において、点光源６０を縦横あるいは斜めに並べ、その点灯位置を移動することで同様の動画を表示する。請求項３０は機械的な可動部を持たずに動画を表示するという利点を求めたものであるが、一方で像６２が点光源の点灯位置と共に移動するという副作用を生じる。
【０１４５】
請求項２９，３０の表示装置においても、左右の眼に図７左で説明した視差が存在する。従って図８の１６で示した視差のあるコマ画像を水平に並べることで3D効果のある表示をすることができる。
【０１４６】
さらに図３１によって請求項３１を説明する。請求項２９の図２９に凸レンズ６３が加えられ、点光源６０の像６４がレンチキュラレンズ５６を超えた反対側に形成される。凸レンズ６３は紙面に垂直なシリンドリカルレンズであっても良く、その機能は紙面内で凸レンズと等しい。静的画像５８に記録された画像は凸レンズ６３によって集光された点光源６０の光により、影絵の原理でスクリーン５７に縮小投影される。静的画像５８に同じ図形５９をレンズピッチpで並べて描くと、スクリーン５７上でその像６５はpより小さなピッチsで並ぶが、図３２に示すようにレンチキュラレンズ５６によってその虚像６６が点光源６０と同じ側（図の下方）に形成される。これは図の上方より見た時、この位置に静的画像５８上の幅pに相当する画像が拡大して観察されることを示している。
【０１４７】
図３２において離れた位置にある視点８から視線９を辿ってスクリーン５７上の点を求め、さらにスクリーン５７から点光源の像６４に向かう光線を逆に辿ると静的画像５８上でピッチｗで並ぶ点、すなわち紙面に垂直な線で交差し、その位置にある線画の列が見えることになる。その幅wはpより大きく数１９で与えられるが、この位置に表示したい画像の対応する部分を並べることで、視点８にその画像を見せることができる。
【０１４８】
【数１９】
2016092623.tif 000021
【０１４９】
図３３の斜視図において、静的画像５８の前に点線で書かれたレンズ６３が置かれ、単一の点光源６０を有するものが請求項３１の実施例となる。ここでは図３２で示された間隔wの点が間隔wで並んだ線の列に相当するため、表示したい画像から所定の幅で線画像ないし短冊状の画像を抽出し、間隔wで静的画像５８に並べれば良い。同様にして動画を構成する各コマの画像を、レンズ列の並ぶ方向にずらしつつ静的画像５８に隙間なく並べれば、異なるコマから集められた線画ないし短冊状の画像によってできた、一コマ分の画像５９が並ぶことになるので、レンチキュラレンズ５６の各シリンドリカルレンズがこれらの真上に位置するように重ね、共に１１の方向に動かすことで像６６の位置に見えるコマ画像が切り替わり、動画が観察されることになる。
【０１５０】
静的画像５８の作成法は図１２によって説明した静的画像５ａの作成法と同じである。また実用的な画質とするためには、ピッチpの小さなレンチキュラレンズを使い、20〜30本ないしそれ以上の線画で表示することが望ましいことも同様である。請求項３１の表示装置には、左右の眼に図７右で説明した視差が存在する。従って図８の１７で示した視差のあるコマ画像を水平に並べることで3D効果のある表示をすることができる。一方で図３３の装置全体を９０度回転し、レンチキュラレンズ５６と静的画像５８を上下に移動することでコマを送り、動画を表示するものとすれば左右の視差が無くなり、立体感の無い二次元画像による動画とすることができる。
【０１５１】
図３１においてレンチキュラレンズ５６を凸レンズが縦横に並んだレンズアレイに置き換えたものが請求項３２となり、請求項３１と同じ平面図によって説明することができる。静的画像５８に記録された画像は凸レンズ６３によって集光された点光源６０の光により、影絵の原理でスクリーン５７に縮小投影される。静的画像５８に同じ図形５９をレンズピッチpで並べて描くと、スクリーン５７上でその像６５はpより小さなピッチsで並び、レンズアレイによってその虚像６６が点光源６０と同じ側（図の下方）に形成される。これは図の上方より見た時、この位置に静的画像５８上の幅pに相当する画像が拡大して観察されることを示している。
【０１５２】
請求項３２における静的画像５８は、二次元的な動画を構成する画像群から請求項４と同様の方法で作成することができ、５６〜５８を縦横あるいは斜めに移動することで動画を表示することができる。また請求項３２の表示装置においては、左右の眼に図７右で説明した視差が存在する。従って図８の１７で示した視差のあるコマ画像を水平に並べることで3D効果のある表示をすることができる。
【符号の説明】
【０１５３】
１，２２，３３，３９，５６  ・・・  レンチキュラレンズないしレンズアレイ
１ａ  ・・・  レンチキュラレンズ
１ｂ  ・・・  レンズアレイ
２，３０，５２，６３  ・・・  凸レンズないしシリンドリカルレンズ
３，２３  ・・・  レンチキュラレンズを構成するシリンドリカルレンズ
４  ・・・  レンチキュラレンズを構成するシリンドリカルレンズの曲率中心
５，５ａ，５ｂ  ・・・  静的画像
６，２７，３５，４１，４８，５９  ・・・  ピッチpで並ぶ図形
６ａ  ・・・  多数のコマから合成された１コマ分の縮小画像
７，２９，５４，５５，６２  ・・・  ピッチpで並ぶ図形の実像
８  ・・・  視点
８Ｌ  ・・・  左目の視点
８Ｒ  ・・・  右目の視点
９  ・・・  視線
１０  ・・・  視点８に見える位置
１１，１２，１３，１４  ・・・  移動方向
１５Ｌ  ・・・  左目に見える位置
１５Ｒ  ・・・  右目に見える位置
１６，１７  ・・・  視差のあるコマ画像の並び
１８  ・・・  二次元的な動画を構成するコマ画像
１９  ・・・  多数のコマから合成された１コマ分の縮小画像
２０  ・・・  凹レンズないしシリンドリカル凹レンズ
２１，３２，４３，６６  ・・・  ピッチpで並ぶ図形の虚像
２４，３６，５７  ・・・  光拡散スクリーン
２５  ・・・  輝線
２６，３４，４０，４７，５８  ・・・  透過性の静的画像
２８，３７，４２，４２ａ，４９，６０  ・・・  点光源
２８ｓ，３７ｓ，４２ａｓ，６０ｓ  ・・・  点光源の列
３１，５３，６４  ・・・  点光源の像
３８  ・・・  二次元的な投影像
４４  ・・・  レンチキュラレンズを構成するシリンドリカルレンズによる点光源の像
４５  ・・・  一方向に光を拡散する手段
４６  ・・・  シリンドリカル凹レンズが並んだレンチキュラレンズ
５０  ・・・  レンチキュラレンズを構成するシリンドリカル凹レンズによる点光源の像
４２ｂ  ・・・  線光源
４２ＢＳ  ・・・  線光源の列
６１  ・・・  ピッチpで並ぶ図形の拡大投影像
６５  ・・・  ピッチpで並ぶ図形の縮小投影像
１０１，１０２，１０３，１０４，１０７  ・・・  動画を構成するコマ画像
２０１，２０２，２０３，２０４，２０８，２０９  ・・・  動画を構成するコマ画像
【図１】
2016092623.tif 000023
【図２】
2016092623.tif 000024
【図３】
2016092623.tif 000025
【図４】
2016092623.tif 000026
【図５】
2016092623.tif 000027
【図６】
2016092623.tif 000028
【図７】
2016092623.tif 000029
【図８】
2016092623.tif 000030
【図９】
2016092623.tif 000031
【図１０】
2016092623.tif 000032
【図１１】
2016092623.tif 000033
【図１２】
2016092623.tif 000034
【図１３】
2016092623.tif 000035
【図１４】
2016092623.tif 000036
【図１５】
2016092623.tif 000037
【図１６】
2016092623.tif 000038
【図１７】
2016092623.tif 000039
【図１８】
2016092623.tif 000040
【図１９】
2016092623.tif 000041
【図２０】
2016092623.tif 000042
【図２１】
2016092623.tif 000043
【図２２】
2016092623.tif 000044
【図２３】
2016092623.tif 000045
【図２４】
2016092623.tif 000046
【図２５】
2016092623.tif 000047
【図２６】
2016092623.tif 000048
【図２７】
2016092623.tif 000049
【図２８】
2016092623.tif 000050
【図２９】
2016092623.tif 000051
【図３０】
2016092623.tif 000052
【図３１】
2016092623.tif 000053
【図３２】
2016092623.tif 000054
【図３３】
2016092623.tif 000055